(57)【特許請求の範囲】
【請求項１】
地上ネットワークに接続される第一電子装置及び搭載携帯通信ネットワークに接続される第二電子装置に及びこれらから伝達情報を、データセンターによって提供する方法であって、以下のステップを含む、該方法：
前記第一電子装置から、サービスプロバイダネットワークを介して、第二電子装置を識別する第一の音声ベース又はメッセージベースのコンテンツを受信するステップ；
プロセッサによって、順方向通信を生成するステップであって、前記順方向通信は、（ｉ）前記第一の音声ベース又はメッセージベースのコンテンツを含み、及び前記順方向通信は、（ｉｉ）前記第二電子装置に向けられたものである、該ステップ；
前記順方向通信を、前記第二電子装置に、衛星通信リンクを介して、前記データセンターから送信するステップ；
前記第二電子装置への前記順方向通信の伝送に対応するフィードバック情報を、前記データセンターで受信するステップ；
前記フィードバック情報に基づいて、前記データセンターによって続いて受信され且つ続いて起こる順方向通信が前記データセンターから前記第二電子装置へ送達されるべき順方向リンクを前記データセンターによって選択するステップ；
リターン通信を、第二電子装置から、地上通信リンクを介して前記データセンターで受信するステップであって、前記リターン通信は（ｉ）第二の音声ベース又はメッセージベースのコンテンツを含み、及び（ｉｉ）前記第一電子装置に向けられたものである、該ステップ；並びに
前記第二の音声ベース又はメッセージベースのコンテンツを、前記第一電子装置へ、前記サービスプロバイダネットワークを介して前記データセンターから送信するステップ、
ここで、前記第一の音声ベース又はメッセージベースのコンテンツを受信するステップが以下のことを含む、該方法：
ショートメッセージサービス（ＳＭＳ）メッセージを、ショートメッセージサービスセンター（ＳＭＳＣ）から受信すること；及び
前記ＳＭＳメッセージを、異なるプロトコルのメッセージへ変換すること。
【請求項２】
請求項１の方法であって、更に以下のステップを含む、該方法：
前記第一の音声ベース又はメッセージベースのコンテンツに基づいて、前記第二電子装置に関連する加入識別情報を識別するステップ。
【請求項３】
請求項２の方法であって、前記加入識別情報が携帯加入者サービス総合ディジタルネットワーク（ＭＳＩＳＤＮ）の番号であり、及び、前記順方向通信を生成することが以下のことを含む、該方法：
前記第一の音声ベース又はメッセージベースのコンテンツ及び前記ＭＳＩＳＤＮを含む順方向通信を生成すること。
【請求項４】
請求項１〜請求項３のうちいずれか１つの方法であって、前記リターン通信を前記第二電子装置から受信するステップが以下のことを含む、該方法：
前記リターン通信を前記第二電子装置から空対地（ＡＴＧ）通信リンクを介して受信すること。
【請求項５】
請求項１〜請求項４のうちいずれか１つの方法であって、前記順方向通信を前記第二電子装置に送信するステップが以下のことを含む、該方法：
前記順方向通信を、Ｋu帯域通信リンク又はＫa帯域通信リンクのうちの１つを介して送信すること。
【請求項６】
請求項１〜請求項５のうちいずれか１つの方法であって、
前記リターン通信を受信するステップが、インターネットベースの音声通信要求を受信することを含み；及び
前記第二の音声ベース又はメッセージベースのコンテンツを送信するステップが、前記第一電子装置に送達するために、前記インターネットベースの音声通信要求を、インターネット電話サービスプロバイダ（ＩＴＳＰ）に送信することを含む、
該方法。
【請求項７】
請求項１〜請求項６のうちいずれか１つの方法であって、前記リターン通信を受信するステップが以下のことを含む：
特定のプロトコルのメッセージを受信すること；及び
前記特定のプロトコルのメッセージをショートメッセージサービス（ＳＭＳ）メッセージに変換すること。
【請求項８】
地上ネットワークに接続される第一電子装置及び搭載携帯通信ネットワークに接続される第二電子装置に、及びこれらから通信を提供するためのシステムであって、以下を含むシステムであって：
通信モジュールであって、データを送受信するように構成される、該通信モジュール；及び
データセンターであって、該データセンターはメモリ及びプロセッサを含み、及び前記通信モジュールに通信可能に接続され、以下の動作を行うように構成される、データセンター：
前記第一電子装置から、サービスプロバイダネットワークを介して、前記第二電子装置を識別する第一の音声ベース又はメッセージベースのコンテンツを受信すること、
順方向通信を生成することであって、前記順方向通信は（ｉ）前記第一の音声ベース又はメッセージベースのコンテンツを含み、及び前記順方向通信は（ｉｉ）前記第二電子装置に向けられたものである、該生成すること、
前記通信モジュールを介して、前記順方向通信を、前記第二電子装置へ、衛星通信リンクを介して送信すること、
前記第二電子装置への前記順方向通信の伝送に対応するフィードバック情報を、前記通信モジュールを介して受信すること、
前記フィードバック情報に基づいて、前記データセンターによって続いて受信され且つ続いて起こる順方向通信が前記データセンターから前記第二電子装置へ送達されるべき順方向リンクを選択すること、
リターン通信を前記第二電子装置から地上通信リンクを介して且つ前記通信モジュールを介して受信することであって、前記リターン通信は（ｉ）第二の音声ベース又はメッセージベースのコンテンツを含み、前記リターン通信は（ｉｉ）前記第一電子装置に向けられたものである、該受信すること、並びに
前記通信モジュールを介して、前記第二の音声ベース又はメッセージベースのコンテンツを、前記第一電子装置へ、前記サービスプロバイダネットワークを介して送信すること、
ここで、前記第一の音声ベース又はメッセージベースのコンテンツを受信するために、データセンターが以下の動作を行うように構成される、該システム：
ショートメッセージサービス（ＳＭＳ）メッセージを、ショートメッセージサービスセンター（ＳＭＳＣ）から受信すること、及び、
前記ＳＭＳメッセージを異なるプロトコルのメッセージに変換すること。
【請求項９】
請求項８のシステムであって、前記データセンターは更に以下の動作を行うように構成される、該システム：
前記第一の音声ベース又はメッセージベースのコンテンツに基づいて、前記第二電子装置に関連する加入識別情報を識別すること。
【請求項１０】
請求項９のシステムであって、前記加入識別情報が携帯加入者サービス総合ディジタルネットワーク（ＭＳＩＳＤＮ）の番号であり、及び、前記順方向通信を生成するため、データセンターが以下の動作を行うように構成される、該システム：
前記第一の音声ベース又はメッセージベースのコンテンツ及び前記ＭＳＩＳＤＮを含む順方向通信を生成すること。
【請求項１１】
請求項８〜請求項１０のうちいずれか１つのシステムであって、前記リターン通信を前記第二電子装置から受信するために、前記データセンターが以下の動作を行うように構成される、該システム：
前記リターン通信を前記第二電子装置から空対地（ＡＴＧ）通信リンクを介して受信すること。
【請求項１２】
請求項８〜請求項１０のうちいずれか１つのシステムであって、前記順方向通信を前記第二電子装置に送信するために、データセンターが以下の動作を行うように構成される、該システム：
前記順方向通信を、Ｋu帯域通信リンク又はＫa帯域通信リンクのうち１つを介して送信すること。
【請求項１３】
請求項８〜請求項１２のうちいずれか１つのシステムであって、
前記リターン通信を受信するため、データセンターはインターネットベースの音声通信要求を受信するように構成され、
前記第二の音声ベース又はメッセージベースのコンテンツを送信するため、データセンターは、前記第一電子装置へ送達する目的で、前記インターネットベースの音声通信要求をインターネット電話サービスプロバイダ（ＩＴＳＰ）へ送信するように構成される、データセンター。
【発明の詳細な説明】
【技術分野】
【０００１】
［関連出願への相互参照］
本出願は、以下の出願に対する優先権及び出願日の利益を主張する：米国特許仮出願第６１／９０１，６３４（出願日２０１３年１１月８日及び発明の名称「ＨＹＢＲＩＤ  ＣＯＭＭＵＮＩＣＡＴＩＯＮＳ  ＦＯＲ  ＤＥＶＩＣＥＳ  ＯＮ  ＶＥＨＩＣＬＥＳ（乗物上の装置のためのハイブリッド通信）」）及び米国特許非仮出願第１４／３１２，４１３（出願日２０１４年６月２３日及び発明の名称「ＳＹＳＴＥＭＳ  ＡＮＤ  ＭＥＴＨＯＤＳ  ＦＯＲ  ＦＡＣＩＬＩＴＡＴＩＮＧ  ＶＯＩＣＥ  ＡＮＤ  ＭＥＳＳＡＧＩＮＧ  ＣＯＭＭＵＮＩＣＡＴＩＯＮＳ  ＶＩＡ  ＶＡＲＩＯＵＳ  ＮＥＴＷＯＲＫＳ（様々なネットワークを介した音声及びメッセージ通信を促進するためのシステム及び方法）」。これらの開示内容は、ここに参照によって、その全体が本明細書に組み込まれる。更に言えば、本出願は以下の出願に関連する：米国特許出願第１４／２９１，８７８（出願日２０１４年５月３０日及び発明の名称「ＳＹＳＴＥＭＳ  ＡＮＤ  ＭＥＴＨＯＤＳ  ＦＯＲ  ＦＡＣＩＬＩＴＡＴＩＮＧ  ＣＯＭＭＵＮＩＣＡＴＩＯＮＳ  ＯＲＩＧＩＮＡＴＩＮＧ  ＦＲＯＭ  Ａ  ＮＯＮ−ＴＥＲＲＥＳＴＲＩＡＬ  ＮＥＴＷＯＲＫ（非地上性のネットワークに由来する通信を促進するためのシステム及び方法）」（代理人整理番号第３２０４５／４８０４６））。この特許出願の内容は、ここに参照によって、その全体が組み込まれる。また、本出願は以下の出願に関連する：同時継続の米国特許出願第１４／２９２，０３５（出願日２０１４年５月３０日及び発明の名称「ＳＹＳＴＥＭＳ  ＡＮＤ  ＭＥＴＨＯＤＳ  ＦＯＲ  ＦＡＣＩＬＩＴＡＴＩＮＧ  ＣＯＭＭＵＮＩＣＡＴＩＯＮＳ  ＤＥＳＴＩＮＥＤ  ＦＯＲ  Ａ  ＮＯＮ−ＴＥＲＲＥＳＴＲＩＡＬ  ＮＥＴＷＯＲＫ（非地上性ネットワーク向けの通信を促進するためのシステム及び方法）」（代理人整理番号第３２０４５／４８０４７）。この特許出願の内容は、ここに参照によって、その全体が組み込まれる。
【０００２】
また更に、本願は、「ＶＥＨＩＣＬＥ  ＤＡＴＡ  ＤＩＳＴＲＩＢＵＴＩＯＮ  ＳＹＳＴＥＭ  ＡＮＤ  ＭＥＴＨＯＤ（乗物データ分配システム及び方法）」と題し、且つ２０１２年１１月１３日に出願された同時係属の米国特許出願第１３／６７５，２００号、「ＣＯＭＭＵＮＩＣＡＴＩＯＮＳ  ＳＹＳＴＥＭ  ＡＮＤ  ＭＥＴＨＯＤ  ＦＯＲ  ＮＯＤＥＳ  ＡＳＳＯＣＩＡＴＥＤ  ＷＩＴＨ  Ａ  ＶＥＨＩＣＬＥ（乗物に関連付けられたノードのための通信システム及び方法）」と題し、且つ２０１２年１１月１３日に出願された同時係属の米国特許出願第１３／６７５，１９４号、及び「ＧＲＯＵＮＤ  ＳＹＳＴＥＭ  ＦＯＲ  ＶＥＨＩＣＬＥ  ＤＡＴＡ  ＤＩＳＴＲＩＢＵＴＩＯＮ（乗物データ分配のための地上システム）」と題し、且つ２０１２年１１月１３日に出願された同時係属の米国特許出願第１３／６７５，１９０号に関連する。これら関連出願の内容全体は、ここに参照によって、その全体が組み込まれる。
【０００３】
本開示は、概して、乗物に搭載された装置へ又は該装置から伝達情報を送達することに関するものであり、そして、より具体的には、様々な通信ネットワークを介して電子装置間の通信を促進するためのシステム及び方法に関する。
【背景技術】
【０００４】
目下、既存の航空会社及び他の運送会社は、様々なサービスを、携帯装置又は無線の装置（例えば、携帯電話、スマートデバイス、ラップトップ、タブレットコンピュータ、等）に提供しており、こうした提供は、こうした装置が乗物に搭載され、且つこうした乗物が目的地へ向かう間に行われる。しかし、乗物が移動中、地上の又は本来の特性（（例えば、ローミング、テキスト化、同時コール、等）を携帯装置又は無線の装置に送達すると、幾つかの困難に直面する。典型的には、非地上環境において携帯装置又は無線の装置の本来の地上の特性をサポートするために、携帯ベースのステーション（例えば「ピコセル」）は、乗物に搭載される形で設置され、そして、携帯装置は、携帯装置のセル方式無線及び搭載された携帯ベースのステーションを介して、搭載ネットワークに接続する。幾つかの場合には、携帯ベースのステーションのほか、ハードウェアも乗物に搭載される形で設置される。こうした外部性のインフラは、限定的であり、且つ非常に高価である。更に、乗物に搭載された状態で生じる無線送信は、地上ベースのセル方式システムと干渉を起こす可能性がある。例えば、もし、乗物に搭載された携帯装置が、（例えば、搭載された携帯ベースのステーションが非活性化されたとき）携帯装置が接続する可能性のある充分なセル方式帯域を見つけられない場合、携帯装置は自動的にパワーを増加させ、これは、地上ベースのセルサイトと干渉を起こす可能性があり、並びに、携帯装置のバッテリーを急速に消耗する可能性がある。
【発明の概要】
【発明が解決しようとする課題】
【０００５】
幾つかの既存の地上通信システムは、インターネットベースのネットワーク接続を携帯装置に、搭乗中提供することができる。例えば、幾つかの通信システムはＷｉ−Ｆｉ（登録商標）機能を備えており、これにより、モバイル装置が、ウェブサイトへのアクセス、及びマルチメディアのストリーミングを行うことを可能にする。しかし、携帯装置が乗物に搭載されている間、これらの通信システムは、モバイル装置に、地上での又は本来の通信の特性（即ち、携帯ベースの通信）を提供することができない。
【０００６】
従って、既存の通信インフラを向上させて、電子装置が非地上通信ネットワークに接続されている間、電子装置を介した携帯ベースの通信を促進させる余地がある。
【課題を解決するための手段】
【０００７】
本開示の概要
この概要は、［発明を実施するための形態］において、以下で更に説明される、簡略化した概念を抽出して伝えるために提供される。この概要は、請求された主題の基本的特徴、又は欠くことのできない特徴を特定することを意図せず、また請求された主題の範囲を制限するために使用されることを意図しない。
【０００８】
一実施形態において、地上ネットワークに接続される第一電子装置及び搭載通信ネットワークに接続される第二電子装置に及びこれらから伝達情報を提供する方法を提供する。前記方法は以下のステップを含む：前記第一電子装置から、サービスプロバイダネットワークを介して、第二電子装置を識別する第一の音声ベース又はメッセージベースのコンテンツを受信するステップ；順方向通信を生成するステップであって、前記順方向通信は（ｉ）前記第一の音声ベース又はメッセージベースのコンテンツを含み、及び前記順方向通信は（ｉｉ）前記第二電子装置に向けられたものである、該ステップ；並びに、前記順方向通信を、前記第二電子装置に、衛星通信リンクを介して伝送するステップ。前記方法は更に以下のステップを含む：リターン通信を、第二電子装置から、地上通信リンクを介して受信するステップであって、前記リターン通信は（ｉ）第二の音声ベース又はメッセージベースのコンテンツを含み、及び（ｉｉ）前記第一電子装置に向けられたものである、該ステップ；並びに、前記第二の音声ベース又はメッセージベースのコンテンツを、前記第一電子装置へ、前記サービスプロバイダネットワークを介して送信するステップ。
【０００９】
別の実施形態では、地上ネットワークに接続される第一電子装置及び搭載通信ネットワークに接続される第二電子装置に及びこれらから伝達情報を提供するシステムを提供する。前記システムは以下を含む：データを送受信するように構成される通信モジュール；並びに、メモリ及びプロセッサを含み、並びに、通信モジュールに通信可能に接続されるデータセンター。データセンターは以下の動作を行うように構成される：前記第一電子装置から、サービスプロバイダネットワークを介して、第二電子装置を識別する第一の音声ベース又はメッセージベースのコンテンツを受信すること；順方向通信を生成する事であって、前記順方向通信は（ｉ）第一の音声ベース又はメッセージベースのコンテンツを含み、及び前記順方向通信は、（ｉｉ）第二電子装置に向けられたものである、該生成すること；並びに、前記通信モジュールを介して、前記順方向通信を、前記第二電子装置へ、衛星通信リンクを介して送信すること。データセンターは更に以下の動作を行うように構成される：リターン通信を前記第二電子装置から地上通信リンクを介して受信することであって、前記リターン通信は（ｉ）第二の音声ベース又はメッセージベースのコンテンツを含み、前記リターン通信は（ｉｉ）前記第一電子装置に向けられたものである、該受信すること；及び、前記通信モジュールを介して、前記第二の音声ベース又はメッセージベースのコンテンツを、前記第一電子装置へ、前記サービスプロバイダネットワークを介して送信すること。
【００１０】
更なる実施形態において、地上ネットワークに接続される第一電子装置及び搭載通信ネットワークに接続される第二電子装置に及びこれらから伝達情報を提供する方法を提供する。前記方法は以下のステップを含む：前記第一電子装置から、サービスプロバイダネットワークを介して、第二電子装置を識別する第一の音声ベース又はメッセージベースのコンテンツを受信するステップ；順方向通信を生成するステップであって、前記順方向通信は（ｉ）前記第一の音声ベース又はメッセージベースのコンテンツを含み、及び前記順方向通信は（ｉｉ）前記第二電子装置に向けられたものである、該ステップ；並びに、前記順方向通信を、前記第二電子装置に、衛星通信リンクを介して伝送するステップ。前記方法は更に以下のステップを含む：リターン通信を第二電子装置から衛星通信リンクを介して受信するステップであって、前記リターン通信は、（ｉ）第二の音声ベース又はメッセージベースのコンテンツを含み、及び（ｉｉ）第一電子装置に向けられたものである、該ステップ；並びに、前記第二の音声ベース又はメッセージベースのコンテンツを、前記第一電子装置へ、前記サービスプロバイダネットワークを介して送信するステップ。
【図面の簡単な説明】
【００１１】
【図１】幾つかの実施形態に従った電子装置間のテキストベース通信を促進することができる電子装置及び構成要素を例示的に表したものを示す。
【００１２】
【図２】幾つかの実施形態に従って、非地上ネットワークに接続される電子装置に由来するテキストベース通信を促進することに関連した例示的なシグナル図を描写している。
【００１３】
【図３】幾つかの実施形態に従って、非地上ネットワークに接続される電子装置を意図したテキストベース通信を促進することに関連した例示的なシグナル図を描写している。
【００１４】
【図４】幾つかの実施形態に従って、電子装置間の音声ベース通信を促進することができる電子装置及び構成要素を例示的に表したものを示す。
【００１５】
【図５】幾つかの実施形態に従って、非地上ネットワークに接続される電子装置に由来する音声ベース通信を促進することに関連する例示的なシグナル図を描写している。
【００１６】
【図６】幾つかの実施形態に従って、非地上ネットワークに接続される電子装置を意図した音声ベース通信を促進することに関連する例示的なシグナル図を描写している。
【００１７】
【図７】幾つかの実施形態に従って、データを、１セットの乗物に搭載された装置へ、及び１セットの乗物に搭載された装置から送達するための、代表的なハイブリッド通信システムを示す。
【００１８】
【図８】幾つかの実施形態に従って、ハイブリッド伝達情報を、１セットの乗物に搭載された装置へ、及び１セットの乗物に搭載された装置から提供する方法の例を示す。
【００１９】
【図９】幾つかの実施形態に従って、ハイブリッド伝達情報を、１セットの乗物に搭載された装置へ、及び１セットの乗物に搭載された装置から提供する方法の例を示す。
【００２０】
【図１０】幾つかの実施形態に従って、ハイブリッド通信システムにおいて確立されたデータ通信トンネルのブロック図の例を含む。
【００２１】
【図１１】幾つかの実施形態に従って、分散された方法又はハイブリッドな方法で、コンテンツを乗物によって輸送されている装置へ送達するための方法の例を示す。
【００２２】
【図１２】幾つかの実施形態に従って、分散された方法又はハイブリッドな方法で、コンテンツを乗物に搭載された装置へ送達するための方法の実施形態を示す。
【００２３】
【図１３】幾つかの実施形態に従って、ハイブリッド伝達情報又はデータを乗物上で受信し、且つ受信された情報又はデータを、乗物に搭載された受信側装置へ送達するように構成される乗物の中に収納されたシステム例のブロック図である。
【００２４】
【図１４】幾つかの実施形態に従って、ハイブリッド通信システムで利用されるかもしれないコンピューティング装置例のブロック図である。
【００２５】
【図１５】幾つかの実施形態に従って、音声ベース又はメッセージベースのコンテンツを、様々な通信ネットワークを介して通信する例示的な方法を示す。
【発明を実施するための形態】
【００２６】
好ましい実施形態の詳細な説明
次の文は、数多くの異なった実施形態の詳細な説明を明らかにしてはいるが、その説明の法的範囲は、この特許書類の最後で明らかにされる請求項の文言及び等価物によって定義されること旨理解されたい。詳細な説明は、例としてのみ解釈されるべきであり、且つあらゆる可能な実施形態を説明しないが、その理由は、あらゆる可能な実施形態を説明することは、実際的でないからである。現在の技術又は、この特許の出願日の後に開発された技術のいずれかを使用して、数多くの代替的実施形態が履行され得るであろうが、これらの代替的実施形態は、依然として請求項の範囲内に入るであろう。
【００２７】
更に理解されるべきことであるが、この特許において、「本明細書で使用されるように、用語’−−’はここに、・・・を意味することが定義される」という文、又は類似の文を使用して、用語が明白に定義されなければ、明示的に又は暗黙的にのいずれかによって、その平易な意味又は通常の意味を超えて、その用語の意味を限定する意図は無い。そして、そのような用語は、この特許の任意の節でなされた（請求項の言葉以外の）任意の陳述に基づく範囲の中に限定される、と解釈されるべきではない。この特許の最後における請求項の中で列挙された任意の用語が、単一の意味と矛盾しないやり方で、この特許の中で言及されている限り、読者を混乱させないよう明瞭にするために、そのような言及が行われており、且つそのような請求項の用語が、暗示的に又は他の方法で、その単一の意味に限定されることは、意図されていない。最後に、請求項の構成要件が、「手段」という単語及び、任意の構造を詳述しない機能を列挙することによって定義されない限り、任意の請求項の構成要件の範囲が、３５米国特許法１１２条６節の適用に基づいて解釈されることは意図されない。
【００２８】
加えて、本開示の内容の任意部分又は全ては、「ＶＥＨＩＣＬＥ  ＤＡＴＡ  ＤＩＳＴＲＩＢＵＴＩＯＮ  ＳＹＳＴＥＭ  ＡＮＤ  ＭＥＴＨＯＤ（乗物データ分配システム及び方法）」と題する同時係属の米国特許出願第１３／６７５，２００号の開示内容の任意部分又は全てと関連して働いてもよく、この特許出願の内容は、ここに参照によって、その全体が組み込まれる。更に、本開示の内容の任意部分又は全ては、「ＣＯＭＭＵＮＩＣＡＴＩＯＮＳ  ＳＹＳＴＥＭ  ＡＮＤ  ＭＥＴＨＯＤ  ＦＯＲ  ＮＯＤＥＳ  ＡＳＳＯＣＩＡＴＥＤ  ＷＩＴＨ  Ａ  ＶＥＨＩＣＬＥ（乗物に関連付けられたノードのための通信システム及び方法）」と題する同時係属の米国特許出願第１３／６７５，１９４号の開示内容の任意部分又は全てと関連して働いてもよく、この特許出願の内容は、ここに参照によって、その全体が組み込まれる。また、本開示の内容の任意部分又は全ては、「ＧＲＯＵＮＤ  ＳＹＳＴＥＭ  ＦＯＲ  ＶＥＨＩＣＬＥ  ＤＡＴＡ  ＤＩＳＴＲＩＢＵＴＩＯＮ（乗物データ分配のための地上システム）」と題する同時係属の米国特許出願第１３／６７５，１９０号の開示内容の任意部分又は全てと関連して働いてもよく、この特許出願の内容は、ここに参照によって、その全体が組み込まれる。
【００２９】
更にいうと、本開示の任意の又は全ての内容は、以下の出願の任意の又は全ての開示内容と併せて動作することができる：同時係属の米国特許出願第１４／２９１，８７８（発明の名称「ＳＹＳＴＥＭＳ  ＡＮＤ  ＭＥＴＨＯＤＳ  ＦＯＲ  ＦＡＣＩＬＩＴＡＴＩＮＧ  ＣＯＭＭＵＮＩＣＡＴＩＯＮＳ  ＯＲＩＧＩＮＡＴＩＮＧ  ＦＲＯＭ  Ａ  ＮＯＮ−ＴＥＲＲＥＳＴＲＩＡＬ  ＮＥＴＷＯＲＫ（非地上性のネットワークに由来する通信を促進するためのシステム及び方法）」（代理人整理番号第３２０４５／４８０４６））；及び同時係属の米国特許出願第１４／２９２，０３５（発明の名称「ＳＹＳＴＥＭＳ  ＡＮＤ  ＭＥＴＨＯＤＳ  ＦＯＲ  ＦＡＣＩＬＩＴＡＴＩＮＧ  ＣＯＭＭＵＮＩＣＡＴＩＯＮＳ  ＤＥＳＴＩＮＥＤ  ＦＯＲ  Ａ  ＮＯＮ−ＴＥＲＲＥＳＴＲＩＡＬ  ＮＥＴＷＯＲＫ（非地上性ネットワーク向けの通信を促進するためのシステム及び方法）」（代理人整理番号第３２０４５／４８０４７））。この内容は、ここに参照によって、その全体が組み込まれる。
【００３０】
図１は、複数の構成要素を例示的に表したもの（１００）であり、これらの構成要素は電子装置間のセル方式ベースの通信を促進するように構成される。特に、前記例示図の構成要素（１００）は、テキストベース通信（例えば、ショートメッセージサービス（ＳＭＳ）メッセージ）を促進するように構成され、こうした通信は、非地上ベースのネットワークに接続される電子装置（１０５）と地上ベースのネットワークに接続される１以上の追加的装置（１１０）との間で行われる。概して、本明細書で言及する時、地上ベース（“ｔｅｒｒｅｓｔｒｉａｌ−ｂａｓｅｄ”  又は  “ｇｒｏｕｎｄ−ｂａｓｅｄ”）のネットワークは、以下の任意のネットワークを指す：地上環境にいる間電子装置が接続することができ、しかしながら、高速又は高度な乗物（例えば飛行機）によって輸送されている間、容易に接続することができないネットワーク。同様に、非地上ベース（“ｎｏｎ−ｔｅｒｒｅｓｔｒｉａｌ−ｂａｓｅｄ”  又は  “ｎｏｎ−ｇｒｏｕｎｄ−ｂａｓｅｄ”）のネットワークは、以下の任意のネットワークを指す：地上ベースのネットワークの範囲内にない間又は容易に地上ベースのネットワークに接続できない間（例えば、電子装置が高速又は高度な乗り物（例えば飛行機）によって輸送されている間）、電子装置が接続することができるネットワーク。概して、外部のネットワークは、地上システム及び地上コンピューティング・デバイスを含み、これらは、本質的には、ある場所に固定される。更に、外部のネットワークは、基地ステーション又はインフラを含み、これらはある施設を含み、これを介して、装置は、外部のネットワークに無線アクセスすることができるが、これらは、地上又は地球に固定して取り付けられる１以上の建物又は他の構造物に含まれてもよい。
【００３１】
各電子装置（１０５）及び追加的装置（１１０）は、任意のタイプのスタンドアロン又は携帯型の電子装置であってもよく、これらは、１以上のネットワークを介して通信することができる。例えば、各電子装置（１０５）及び追加的装置（１１０）は以下の物であってもよい：携帯電話、個人情報端末（ＰＤＡ）、スマートフォン、タブレットコンピュータ、マルチメディアプレーヤー、デスクトップ又はノートブックコンピュータ、ＭＰ３プレーヤー、デジタル放送受信機、又は任意の他の電子装置。また、各電子装置（１０５）及び追加的装置（１１０）は、セル方式サービスプロバイダによる加入又はプランを有してもよく、これにより、セル方式サービスプロバイダは、電子装置（１０５）及び／又は追加的装置（１１０）を介して実施されるセル方式通信をサポートする。
【００３２】
図１に示すように、電子装置（１０５）は、乗物（１１７）によって輸送され、又は、そうでなければ乗物（１１７）内に位置する。幾つかの実施形態において、乗物（１１７）は個人によって所有され、及び／若しくは個人によって操作されてもよく、又は、乗物は、企業、組織若しくは政府団体によって所有及び／若しくは操作されてもよい。乗物（１１７）は、乗物の群れの１つであってもよい。乗物（１１７）は、乗客を輸送するために使用することができ、これらの乗客は料金を支払ったものであるか、又はそうでない場合には乗物に乗る権限を与えられたものである。乗物（１１７）は、企業又は組織のエクゼクティブ又はスタッフ、及びこれらのゲストを輸送するために使用されてもよい。乗物（１１７）は、生きた又は無生物の貨物、荷物、郵便、及び／又は他のタイプの乗客又は貨物を輸送するために使用することができる。更に、図１は、乗物（１１７）を航空機として描写しているが、本明細書に記載の技術及び原理は、等しく他のタイプの乗物に当てはめることができる（例えばトラック、自動車、バス、電車、ボート、船、はしけ、地下鉄、ヘリコプター、救急車又は他の緊急乗物、軍用の乗物、他の空輸の、水上輸送の、若しくは地上輸送の乗物、及び、宇宙飛行に適した乗物）。
【００３３】
乗物（１１７）は、以下の物を備える：無線のアクセスポイント（１１９）及び搭載通信ネットワークシステム（１２１）。ある時間の任意の所与の瞬間において、搭載通信ネットワークシステム（１２１）は、１以上のデータ又は通信ネットワークと通信接続することができ、これらは、大部分において（完全にではないにしても）、廃棄され、管理され、及び／又はホストされ、乗物（１１７）の外部にある。例えば、外部のネットワークは、公共の、地上ベースのデータ又は通信ネットワーク、例えば、インターネット及び／又はＰＳＴＮ（公共スイッチ電話ネットワーク）、であってもよい。また、外部のネットワークは、地上ベースのプライベートデータ及び／又は通信ネットワークであってもよい。更に、外部のネットワークは、セル方式のネットワーク（１０７）であってもよく、これは、セルサイトステーション（１２３）を含むことができる。概して、外部のネットワークは、地上システム及び地上コンピューティング・デバイスを含み、これらは、本質的には、ある場所に固定される。更に、外部のネットワークは、基地ステーション又はインフラを含み、これらはある施設を含み、これを介して、装置は、外部のネットワークに無線アクセスすることができるが、これらは、地上又は地球に固定して取り付けられる１以上の建物又は他の構造物に含まれてもよい。
【００３４】
電子装置（１０５）は、搭載通信ネットワークシステム（１２１）に無線のアクセスポイント（１１９）を介して接続することができる。概して、搭載通信ネットワークシステム（１２１）を、完全に乗物（１１７）に乗った状態で、廃棄、管理、及び／又はホストすることができる。例えば、搭載通信ネットワークシステム（１２１）は、ＷｉＦｉ（登録商標）ネットワークであってもよく、これは、乗物（１１７）のキャビン内に含まれてもよく、及び該キャビン内で動作してもよい。搭載通信ネットワークシステム（１２１）は、以下を用いることができる：任意の知られた通信プロトコル又はこれらの組み合わせ、例えば、無線のプロトコル、有線のプロトコル、他のＡＲＩＮＣ規格対応プロトコル、又はプライベートプロトコル。一例において、搭載通信ネットワークシステム（１２１）は、ＩＥＥＥ８０２．１１対応プロトコルを用いて、電子装置（１０５）と通信することができる。別の例では、搭載通信ネットワークシステム（１２１）は、ハイパーテキスト・トランスファー・プロトコル（ＨＴＴＰ）及び近距離無線通信（ＮＦＣ）対応プロトコル（例えば、Ｂｌｕｅｔｏｏｔｈ（登録商標））を用いて、電子装置（１０５）と通信することができる。
【００３５】
また、搭載通信ネットワークシステム（１２１）は、電子装置（１０５）とセル方式ネットワーク（１０７）のセルサイトステーション（１２３）との間の通信を促進し、及び管理することができる。実施形態によれば、搭載通信ネットワークシステム（１２１）及びセルサイトステーション（１２３）は、航空機使用のための空対地（ＡＴＧ）通信ネットワークを集合的に構成することができる。幾つかの実施形態において、搭載通信ネットワークシステム（１２１）及びセルサイトステーション（１２３）は、任意のタイプのデータ通信を、任意の無線の規格又は技術を介して促進することができる（例えば、ＧＳＭ（登録商標）、ＣＤＭＡ、ＴＤＭＡ、ＷＣＤＭＡ（登録商標）、ＬＴＥ、ＥＤＧＥ、ＯＦＤＭ、ＧＰＲＳ、ＥＶ−ＤＯ、ＵＷＢなど）。
【００３６】
セル方式ネットワーク（１０７）のセルサイトステーション（１２３）は、１以上の様々な有線の又は無線ネットワークを介して、地上ベースのデータセンター（１２９）に接続することができ、該データセンターは、電子装置（１０５）と他の電子装置（例えば、追加的装置（１１０））との間の通信を安全に促進するための構成要素を有することができる。特に、セルサイトステーション（１２３）は、以下を含む：セッションボーダーコントローラー（ＳＢＣ）及びセッション開始プロトコル（ＳＩＰ）サーバー（１２７）（別々のサーバーであってもよく、又は同一のサーバーとなるよう組み合わせてもよい）及び登録サーバー（１１４）。登録サーバー（１１４）は、ハードウェア及びソフトウェア要素の任意の組み合わせであってもよく、これらは、以下の動作を行うように構成される：直接に又は間接的に電子装置（１０５）及び追加的装置（１１０）と通信し、本明細書に記載の機能及び通信を促進する。更に、ＳＢＣ／ＳＩＰサーバー（１２７）は、電子装置（１０５）、追加的装置（１１０）、及びデータセンター（１２９）の間の通信セッションを、ＳＩＰシグナリング通信プロトコルを用いて、促進及び管理することができる。
【００３７】
この実施形態についてはＳＩＰシグナリングプロトコルとともに動作するものとして説明しているが、以下の点を理解されたい：他の規格又は専用アプリケーションプロトコルも意図していること。例えば、他の意図するプロトコルとして以下のものが含まれる：ハイパーテキスト・トランスファー・プロトコル（ＨＴＴＰ）、シンプルメールトランスファープロトコル（ＳＭＴＰ）、トランスミッションコントロールプロトコル（ＴＣＰ）、ユーザーデータグラムプロトコル（ＵＤＰ）、インターネットコントロールメッセージプロトコル（ＩＣＭＰ）、インターネットメッセージアクセスプロトコル（ＩＭＡＰ）など。
【００３８】
実施形態によれば、電子装置（１０５）は、通信アプリケーション（図１に示さず）をダウンロード及びインストールすることができ、これは、電子装置（１０５）が乗物（１１７）内に位置する時にセル方式ベースの通信を可能にする。更に、電子装置（１０５）は、通信アプリケーションを用いて、登録サーバー（１１４）に関するアカウントを登録及び作成することができ、これについては、同時係属の出願番号１４／２９１，５５８及び１４／２９１，５１１で議論しているが、電子装置（１０５）が、様々な空輸の通信ネットワーク（例えば、航空機使用のための空対地（ＡＴＧ）通信ネットワーク）を介して通信することを可能にする。
【００３９】
図１に示すように、登録サーバー（１１４）は、セル方式ベースのネットワークを介して、電子装置（１０５）に関連するホームネットワーク（１１１）に接続することができる。セル方式ベースのネットワークは、ワイド・エリア・ネットワーク（ＷＡＮ）であってもよく、以下の動作を行うように構成されてもよい：任意のタイプのデータ通信を、任意の規格又は技術（例えば、ＧＳＭ、ＣＤＭＡ、ＴＤＭＡ、ＷＣＤＭＡ、ＬＴＥ、ＥＤＧＥ、ＯＦＤＭ、ＧＰＲＳ、ＥＶ−ＤＯ、ＵＷＢなど）を介して促進すること。概して、電子装置（１０５）のホームネットワーク（１１１）は、セル方式通信サービスプロバイダによって管理され、又は提供されてもよく、これを用いて、電子装置（１０５）のユーザー（即ち、加入者）は、無線通信のサービス及び特徴を送受信するための配置を有する。従って、電子装置（１０５）のホームネットワーク（１１１）は、ホームロケーションレジスタ（ＨＬＲ）（１１５）及び／又はヴィジッティングロケーションレジスタ（ＶＬＲ）（図１に示さず）を、他のデータベース又は構成要素間で、管理又は監督することができ、サービス配置に従って、セル方式通信、ローミング、及び電子装置（１０５）のための他の特徴をサポート及び管理することができる。更に言えば、セル方式のラジオ周波数（ＲＦ）通信帯域は、ホームネットワーク（１１１）によって、携帯装置と無線通信を行うために使用されるが、これは、以下の目的で設計されたＲＦ帯域であってもよい：ＡＭＰ、ＴＤＭＡ、ＣＤＭＡ、ＧＳＭ、ＰＣＳ、３Ｇ、４Ｇ、５Ｇ、及び／又は任意の他の地上のセル方式のラジオ周波数帯域。概して、セル方式のラジオ周波数帯域は、スペクトルの使用を支配する政府機関又は他の団体によって割り当てられたＲＦスペクトルの一部である。幾つかのネットワークにおいて、複数のセル方式ＲＦ帯域をサポートすることができる。
【００４０】
ＨＬＲ（１１５）は、データベースを含むことができ、該データベースは、電子装置の識別情報を記憶して、該識別情報を認証してホームネットワーク（１１１）を介した通信が行われる。特に、各認証された装置に関して、ＨＬＲ（１１５）は、対応する国際携帯加入者識別子（ＩＭＳＩ）を記憶することができ、これは、各認証された装置を識別する一意の番号である（又はより具体的には、各認証された装置のＳＩＭカードを識別する）。また、ＨＬＲ（１１５）は、各ＩＭＳＩと携帯加入者統合サービスデジタルネットワーク番号（ＭＳＩＳＤＮ）とをペアリングさせることができ、該番号は、認証された装置の電話番号に対応する。ホームネットワーク（１１１）は、更にショートメッセージサービスセンター（ＳＭＳＣ）（１０２）を含み、これは、セル方式ベースのメッセージ（例えば、テキストメッセージ（例えばＳＭＳメッセージ））を記憶、転送、変換、及び送達するように構成される。特に、ＳＭＳＣ（１０２）は、データセンター（１２９）へ、メッセージを転送することができ、該メッセージは、追加的装置（１１０）に由来し、及び電子装置（１０５）に向けられたものであってもよい。更に、ＳＭＳＣ（１０２）は、追加的装置（１１０）に、メッセージを送信することができ、該メッセージは、電子装置（１０５）から、データセンター（１２９）を介して受信されたものであってもよい。
【００４１】
実施形態によれば、前記例示図（１００）の構成要素は以下の動作を行うように構成される：電子装置（１０５）と１以上の追加的装置（１１０）との間のセル方式ベースのメッセージの通信を促進すること。一実施形態において、データセンター（１２９）は、搭載通信ネットワークシステム（１２１）及びセル方式ネットワーク（１０７）を介して、メッセージを、電子装置（１０５）から受け取ることができ、該電子装置は、乗物（１１７）内に搭載されて移動する。ここで、メッセージは、追加的装置（１１０）に向けられる。メッセージがインターネットベースの通信として開始されるという理由から、メッセージは、追加的装置（１１０）へ送達するための従来のセル方式ベースのメッセージとして構成されるわけではない。従って、データセンター（１２９）は、メッセージに関連する様々な技術を実行することができ、その結果、メッセージは、ホームネットワーク（１１１）を介して、追加的装置（１１０）へ、従来のセル方式ベースのメッセージとして送達されるように構成される。
【００４２】
別の実施形態では、データセンター（１２９）は、メッセージを追加的装置（１１０）から、ホームネットワーク（１１１）を介して受け取ることができ、ここで、メッセージは、乗物（１１７）に搭載されて移動する電子装置（１０５）に向けられる。メッセージがセル方式ベースの通信として開始されるという理由から、メッセージは、電子装置（１０５）に送達するように構成されていない。なぜならば、電子装置（１０５）は直接セル方式ベースのネットワークに接続されているわけではないからである。従って、データセンター（１２９）は、メッセージに関連する様々な技術を実行することができ、その結果、メッセージは、セル方式ネットワーク（１０７）及び搭載通信ネットワークシステム（１２１）を介して、電子装置（１０５）に、インターネットベースのメッセージとして、送達されるように構成される。
【００４３】
図２はシグナル図（２００）であり、テキストベース通信又はメッセージの通信を促進することに関連し、これは、発信元（ｏｒｉｇｉｎａｔｉｏｎ／ｏｒｉｇｉｎａｔｉｎｇ）装置（２０５）に由来し、該装置は非地上ベースのネットワークに接続される（例えば、発信元装置（２０５）が、乗物（例えば航空機）に搭載されている場合）。本明細書に記載の実施形態によれば、テキストベース通信は、ＳＭＳメッセージであってもよいが、しかし、以下の点を理解されたい：即ち、他のテキストベースの又はマルチメディアベースの通信も意図している。シグナル図（２００）は以下を含む：発信元装置（２０５）（例えば、図１に関連して議論した電子装置（１０５））；ＳＢＣ／ＳＩＰサーバー（２２７）（例えば、図１に関連して議論したＳＢＣ／ＳＩＰサーバー（１２７））及び登録サーバー（２１４）（例えば、図１に関連して議論した登録サーバー（１１４））を含むデータセンター（２２９）；ＳＭＳＣ（２１２）（例えば、図１に関連して議論したＳＭＳＣ（１１２））；並びに送信先装置（２１０）（例えば、図１に関連して議論した送信先装置（１１０））。
【００４４】
実施形態によれば、発信元装置（２０５）のユーザーは、サービス又は製品を利用可能なサービス又は製品のリストから選択することができ、該リストは、以下を含むことができる：発信元装置（２０５）のための、期間、データ制限、又は他のパラメーターに基づく様々なセル方式接続のオプション。例えば、サービス又は製品のリストは、特定のフライトの期間中無制限にテキストベース通信の送受信を行うオプションを含むことができる。
【００４５】
テキストベースのメッセージの通信を開始するため、ユーザーは、発信元装置（２０５）を使用して、メッセージのボディ及びレシピエントの識別情報を入力する（２３０）ことができる。特に、レシピエントの識別情報は、送信先装置（２１０）に関連したＭＳＩＤＳＮ（即ち、電話番号）であってもよい。幾つかの実施形態において、ユーザーは、メッセージを開始することができ、その際に、通信アプリケーションを使用することができ、該アプリケーションは、乗物の搭載通信ネットワークシステム及び／又は登録サーバー（２１４）に既に登録されたものであってもよい。更に、通信アプリケーションは、テキストベースのメッセージをＳＩＰベースのメッセージに変換することができ、ここで、ＳＩＰメッセージは、ユニフォームリソースインジケータ（ＵＲＩ）を含み、これは、発信元装置（２０５）に関連するＩＭＳＩ及び／又はＭＳＩＳＤＮを示す。
【００４６】
図２には示していないが、発信元装置（２０５）は、デジタル証明書を用いてＳＢＣ／ＳＩＰサーバー（４２７）とのトランスポート層セキュリティ（ＴＬＳ）接続を開始することができる。特に、前記証明書は、登録サーバー（２１４）が発信元装置（２０５）に対して装置の登録技術の期間中発行する証明書であってもよい。登録サーバー（２１４）（認証局（ＣＡ）として動作する）は、前記証明書を確証し、及び成功応答をＳＢＣ／ＳＩＰサーバー（２２７）に送信することができる。成功応答の受信に応答して、ＳＢＣ／ＳＩＰサーバー（２２７）は、発信元装置（２０５）とのＴＬＳ接続を確立することができる。
【００４７】
発信元装置（２０５）は、ＳＩＰメッセージを、ＳＢＣ／ＳＩＰサーバー（２２７）に、確立されたＴＬＳ接続を介して、送信（２３１）することができる。ＳＢＣ／ＳＩＰサーバー（２２７）は、ＳＩＰメッセージを復号化（２３２）することができ、及び発信元装置（２０５）に関連するＩＰアドレスを探索（２３３）することができる。特に、ＩＰアドレスは、ケア・オブ・アドレス（ＣｏＡ）であってもよく、該アドレスは、ＳＢＣ／ＳＩＰサーバー（２２７）が予め発信元装置（２０５）と関連付けたものであってもよい。ＳＢＣ／ＳＩＰサーバー（２２７）は、発信元装置（２０５）のＩＰアドレスを変更（２３４）することができ、該変更は、ＳＩＰメッセージに含まれるＩＰアドレスを発信元装置（２０５）に関連付けられたＣｏＡに置き換えることによって行われてもよい。
【００４８】
ＩＰアドレスを変更した後、ＳＢＣ／ＳＩＰサーバー（２２７）は、変更されたＩＰアドレスを有するＳＩＰメッセージを、登録サーバー（２１４）に送信（２３５）することができる。登録サーバー（２１４）は、ＳＩＰメッセージを検査し、そして、発信元装置（２０５）がアクティブな製品又はサービスを有することを確認（２３６）することができる。また、登録サーバー（２１４）は、ＳＩＰメッセージを、ＳＭＳメッセージに、適切な通信プロトコル（例えば、ＧＳＭ、ＣＤＭＡ、等）に従って、変換（２３７）することができる。更に、登録サーバー（２１４）は、ＳＭＳメッセージの「ｆｒｏｍ」フィールドを、発信元装置（２０５）のＭＳＩＳＤＮに変更（２３８）することができる。特に、登録サーバー（２１４）は、発信元装置（２０５）の識別情報を使用することができ、該識別情報は、ＳＩＰメッセージ（例えば、発信元装置（２０５）のＩＭＳＩ）において特定されるが、発信元装置（２０５）のＭＳＩＳＤＮを探索することができる。
【００４９】
ＳＭＳメッセージを生成した後、登録サーバー（２１４）は、ＳＭＳメッセージをＳＭＳＣ（２０２）に送信（２３９）することができ、そして、ＳＭＳＣ（２０２）は、ＳＭＳメッセージを送信先装置（２１０）に送達（２４０）することができる。送信先装置（２１０）がＳＭＳメッセージを受信するとき、（２３８）に含まれるＭＳＩＳＤＮは、ＳＭＳメッセージを、従来のセル方式ベースのＳＭＳとして表示することを可能にする（（２３１）に含まれるＳＩＰメッセージに由来するメッセージの代わりに）。特に、送達されるＳＭＳの表示は、１つの携帯装置から別の携帯装置へセル方式ネットワークを介して送信されるＳＭＳメッセージの表示と違いがない。
【００５０】
ＳＭＳメッセージをＳＭＳＣ（２０２）から受信すると、送信先装置（２１０）は、ＳＭＳメッセージをユーザー・インターフェース中に提示（２４５）することができる。幾つかの実施形態において、送信先装置（２１０）は、ＳＭＳメッセージのボディ又はテキスト部分を、送信先装置（２１０）にインストールされたアプリケーションを介して提示することができる。更に、送信先装置（２１０）は、メッセージの受信通知をＳＭＳＣ（２０２）に送信（２４１）することができ、これは、それぞれ以下のところに転送することができる：登録サーバー（２１４）（２４２）、ＳＢＣ／ＳＩＰサーバー（２２７）（２４３）、及び発信元装置（２０５）（２４４）。
【００５１】
図３はシグナル図（３００）を示しており、該図は、テキストベース通信又はメッセージの送達の促進に関するものであり、これらの通信は、地上ベースのネットワークに接続される発信元装置（３１０）に由来する。更に、テキストベース通信は、非地上ベースのネットワークに接続される送信先装置（３０５）に向けられたものである（例えば、送信先装置（３０５）が乗物（例えば航空機）に搭載される場合）。本明細書に記載の実施形態によれば、テキストベース通信は、ＳＭＳメッセージであってもよいが、しかし、以下の点を理解されたい：即ち、他のテキストベースの又はマルチメディアベースの通信も意図している。シグナル図（３００）は以下を含む：送信先装置（３０５）（例えば、図１に関連して議論した電子装置（１０５））；ＳＢＣ／ＳＩＰサーバー（３２７）（例えば、図１に関連して議論したＳＢＣ／ＳＩＰサーバー（１２７））及び登録サーバー（３１４）（例えば、図１に関連して議論した登録サーバー（１１４））を含むデータセンター（３２９）；ＨＬＲ（３１５）及びＳＭＳＣ（３１２）（例えば、図１に関連して議論したＨＬＲ（１１５）及びＳＭＳＣ（１１２））を含むホームネットワーク（３１１）；並びに、発信元装置（３１０）（例えば、図１に関連して議論した追加的装置（１１０））。議論目的として、以下の点を理解されたい：送信先装置（３０５）はすでに登録サーバー（３１４）への登録手続きを完了させており、また、テキストベース通信を非地上ベースのネットワークを通して可能にする製品又はサービスをすでに購入している。
【００５２】
テキストベースのメッセージの通信を開始するため、ユーザーは、発信元装置（３１０）を用いて以下のことを行うことができる：ＳＭＳメッセージを作成すること（例えば、従来のテキストメッセージアプリケーションを用いて）、レシピエントを指定すること（例えば、送信先装置（３０５）のＭＳＩＳＤＮを含めることを介して）、及び、ＳＭＳメッセージを送信するための選択を行うこと。動作の際、発信元装置（３１０）は、ＳＭＳメッセージをＳＭＳＣ（３０２）に送信（３３０）する。ＳＭＳメッセージを受信すると、ＳＭＳＣ（３０２）は、送信先装置（３０５）に関連するＨＬＲ（３１５）から、ＳＭＳメッセージ中で指定されるＭＳＩＳＤＮに関連するルーティング情報を要求（３３１）する。送信先装置（３０５）はあらかじめ登録サーバー（３１４）に登録されているため、登録サーバー（３１４）は、あらかじめ送信先装置（３０５）の場所を、ＨＬＲ（３１５）にアップデートしており、従って、ＨＬＲ（３１５）は、送信先装置（３０５）と登録サーバー（３１４）との関連を「気づく」ことができる。従って、ＨＬＲ（３１５）は、送信先装置（３０５）に関連するルーティング情報を送信（３３２）することができ、これは、登録サーバー（３１４）のルーティング番号であってもよい。
【００５３】
ルーティング番号を用いて、ＳＭＳＣ（３０２）は、送信先装置（３０５）のＭＳＩＳＤＮを有するＳＭＳメッセージを、登録サーバー（３１４）に送信（３３３）することができる。登録サーバー（３１４）は、ＭＳＩＳＤＮを検査して、送信先装置（３０５）に関連するアクティブな製品又はサービスがあるかどうかを確認（３３４）することができる。特に、送信先装置（３０５）のユーザーは、（例えば、フライト時又はフライト中）、予めサービス又は製品を利用可能なサービス又は製品のリストから選択することができ、該リストは以下を含むことができる：期間、データ制限、又は他のパラメーターに基づく送信先装置（３０５）への様々なセル方式接続のオプション。また、登録サーバー（３１４）は、送信先装置（３０５）のＭＳＩＳＤＮに関連するＳＩＰ  ＵＲＩを検索（３３５）することができる。特に送信先装置（３０５）を登録サーバー（３１４）に登録する最中、ＳＩＰ  ＵＲＩは、あらかじめＭＳＩＳＤＮに関連付けられてもよい。
【００５４】
登録サーバー（３１４）は、ＳＭＳメッセージを、ＳＩＰメッセージに、ＳＩＰ  ＵＲＩを用いて、且つ様々な技術又は通信プロトコル（例えば、ＣＤＭＡ、ＧＳＭ等）に従って変換（３３６）することができる。また、登録サーバー（３１４）は、ＳＩＰ  ＵＲＩを有するＳＩＰメッセージを、ＳＢＣ／ＳＩＰサーバー（３２７）に送信（３３７）することができる。実施形態によれば、ＳＢＣ／ＳＩＰサーバー（３２７）は、送信先装置（３０５）とのＴＬＳ接続を、デジタル証明書を用いて又は他の技術に従って確立（３３８）することができる。更に、ＳＢＣ／ＳＩＰサーバー（３２７）は、ＳＩＰメッセージを、送信先装置（３０５）に、確立されたＴＬＳ接続を介して送信（３４２）することができる。送信先装置（３０５）は、ＳＩＰメッセージを送信先装置（３０５）のユーザーに提示（３４３）することができる。幾つかの実施形態において、送信先装置（３０５）は、ＳＩＰメッセージのボディ又はテキスト部分を、送信先装置（３０５）にインストールされたアプリケーションを介して提示することができる。ＳＩＰメッセージを受信した後、送信先装置（３０５）は、メッセージの受信通知を、ＳＢＣ／ＳＩＰサーバー（３２７）に送信（３３９）することができ、これらは、それぞれ、以下の所に転送することができる：登録サーバー（３１４）（３４０）及び発信元装置（３１０）。
【００５５】
図４は、電子装置間のセル方式ベースの通信を促進するように構成される構成要素を例示的に表したもの（４００）である。特に、前記例示図（４００）の構成要素は以下の動作を行うように構成される：非地上ベースのネットワークに接続される電子装置（４０５）と地上ベースのネットワークに接続される１以上の追加的装置（４１０）との間の音声ベース通信（例えば、ＶｏＩＰ呼び出し）を促進すること。
【００５６】
図１の電子装置（１０５）及び追加的装置（１１０）と同様、各電子装置（４０５）及び追加的装置（４１０）は、任意のタイプのスタンドアロン又は携帯型の電子装置であってもよく、これらは、１以上のネットワークを介して通信することができる。例えば、各電子装置（４０５）及び追加的装置（４１０）は以下の物であってもよい：携帯電話、個人情報端末（ＰＤＡ）、スマートフォン、タブレットコンピュータ、マルチメディアプレーヤー、デスクトップ又はノートブックコンピュータ、ＭＰ３プレーヤー、デジタル放送受信機、又は任意の他の電子装置。各電子装置（４０５）及び追加的装置（４１０）は、また、セル方式サービスプロバイダに関する加入又はプランを有してもよく、これにより、セル方式サービスプロバイダは、電子装置（４０５）及び／又は追加的装置（４１０）を介して行われるセル方式通信をサポートする。
【００５７】
図４に示すように、電子装置（４０５）は、乗物（４１７）によって輸送され、又は、そうでなければ乗物（４１７）内に位置する（図１に関連して議論した乗物（１１７）と同様に）。乗物（４１７）は、以下の物を備える：無線のアクセスポイント（４１９）及び搭載通信ネットワークシステム（４２１）。ある時間の任意の所与の瞬間において、搭載通信ネットワークシステム（４２１）は、１以上のデータ又は通信ネットワークと通信接続することができ、これらは、大部分において（完全にではないにしても）、廃棄され、管理され、及び／又はホストされ、乗物（４１７）の外部にある。例えば、外部のネットワークは、以下のものであってもよい：公共の、地上ベースのデータ又は通信ネットワーク、例えば、インターネット及び／又はＰＳＴＮ（公共スイッチ電話ネットワーク）。また、外部のネットワークは、地上ベースのプライベートデータ及び／又は通信ネットワークであってもよい。更に、外部のネットワークは、セル方式のネットワーク（４０７）であってもよく、これは、セルサイトステーション（４２３）を含むことができる。典型的には、地上システム及び地上コンピューティング・デバイスは、本質的に、ある場所に固定されてもよく、また、基地ステーション又はインフラは、ある施設を含有し、該施設を介して、装置が地上システムに無線アクセスできるが、これらは、地上又は地球に固定して取り付けられる１以上の建物又は他の構造物に含まれてもよい。
【００５８】
電子装置（４０５）は、搭載通信ネットワークシステム（４２１）に無線のアクセスポイント（４１９）を介して接続することができる。概して、搭載通信ネットワークシステム（４２１）を、完全に乗物（４１７）に乗った状態で、廃棄、管理、及び／又はホストすることができる。例えば、搭載通信ネットワークシステム（４２１）は、Ｗｉ−Ｆｉ（登録商標）ネットワークであってもよく、これは、乗物（４１７）のキャビン内に含まれ、及び動作してもよい。搭載通信ネットワークシステム（４２１）は、以下を用いることができる：任意の知られた通信プロトコル又はこれらの組み合わせ（例えば、無線のプロトコル、有線のプロトコル、他のＡＲＩＮＣ規格対応プロトコル、又はプライベートプロトコル）。一例において、搭載通信ネットワークシステム（４２１）は、ＩＥＥＥ８０２．１１対応プロトコルを用いて、電子装置（４０５）と通信することができる。別の例では、搭載通信ネットワークシステム（４２１）は、ハイパーテキスト・トランスファー・プロトコル（ＨＴＴＰ）及び近距離無線通信（ＮＦＣ）対応プロトコル（例えば、ｂｌｕｅｔｏｏｔｈ（登録商標））を用いて、電子装置（４０５）と通信する。
【００５９】
また、搭載通信ネットワークシステム（４２１）は、電子装置（４０５）とセル方式ネットワーク（４０７）のセルサイトステーション（４２３）との間の通信を促進し、及び管理することができる。実施形態によれば、搭載通信ネットワークシステム（４２１）及びセルサイトステーション（４２３）は、航空機使用のための空対地（ＡＴＧ）通信ネットワークを集合的に構成することができる。幾つかの実施形態において、搭載通信ネットワークシステム（４２１）及びセルサイトステーション（４２３）は、任意のタイプのデータ通信を、任意の無線の規格又は技術を介して促進することができる。（例えば、ＧＳＭ、ＣＤＭＡ、ＴＤＭＡ、ＷＣＤＭＡ、ＬＴＥ、ＥＤＧＥ、ＯＦＤＭ、ＧＰＲＳ、ＥＶ−ＤＯ、ＵＷＢなど）。
【００６０】
セル方式ネットワーク（４０７）のセルサイトステーション（４２３）は、１以上の様々な有線の又は無線ネットワークを介して、地上ベースのデータセンター（４２９）に接続することができ、電子装置（４０５）と他の電子装置（例えば、追加的装置（４１０））との間の通信を安全に促進するための構成要素を有することができる。特に、セルサイトステーション（４２３）は、以下を含む：ＳＢＣ／ＳＩＰサーバー（４２７）（別々のサーバーであってもよく、又は同一のサーバーとなるよう組み合わせてもよい）及び登録サーバー（４１４）。登録サーバー（４１４）は、以下を含むことができる：ハードウェア及びソフトウェア要素の任意の組み合わせであって、直接に又は間接的に電子装置（４０５）及び追加的装置（４１０）と通信し、本明細書に記載の機能及び通信を促進するように構成される。更に、ＳＢＣ／ＳＩＰサーバー（４２７）は、電子装置（４０５）、追加的装置（複数可）（４１０１）、及びデータセンター（４２９）の間の通信セッションを、ＳＩＰシグナリング通信プロトコルを用いて促進及び管理することができる。
【００６１】
実施形態によれば、電子装置（４０５）は、通信アプリケーション（図１に示さず）をダウンロード及びインストールすることができ、該アプリケーションは、電子装置（４０５）が乗物（４１７）に搭載されるときに携帯ベースの通信を可能にする。更に、電子装置（４０５）は、通信アプリケーションを用いて、登録サーバー（４１４）にアカウントを登録及び作成することができる。前記登録により、電子装置（４０５）が様々な空輸の通信ネットワーク（例えば、航空機使用のための空対地（ＡＴＧ）通信ネットワーク）を介して通信するよう構成される。
【００６２】
図４に示すように、登録サーバー（４１４）は、セル方式ベースのネットワークを介して、電子装置（４０５）に関連するホームネットワーク（４１１）に接続することができる。セル方式ベースのネットワークは、ワイド・エリア・ネットワーク（ＷＡＮ）であってもよく、以下の動作を行うように構成されてもよい：任意のタイプのデータ通信を、任意の規格又は技術（例えば、ＧＳＭ、ＣＤＭＡ、ＴＤＭＡ、ＷＣＤＭＡ、ＬＴＥ、ＥＤＧＥ、ＯＦＤＭ、ＧＰＲＳ、ＥＶ−ＤＯ、ＵＷＢなど）を介して促進すること。概して、電子装置（４０５）のホームネットワーク（４１１）は、セル方式通信サービスプロバイダによって管理され、又は提供されてもよく、これを用いて、電子装置（４０５）のユーザー（即ち、加入者）は、無線通信のサービス及び特徴を受信するための配置を有することができる。従って、電子装置（４０５）のホームネットワーク（４１１）は、他のデータベース又は構成要素の中で、ＨＬＲ（４１５）及び／又はＶＬＲ（図４に示さず）を管理又は監督してもよく、セル方式通信、ローミング、及び他の特徴を、サービス同意に従って、サポート及び管理することができる。更に言えば、携帯装置と無線通信するためのホームネットワーク（４１１）によって使用されるセル方式のラジオ周波数（ＲＦ）通信帯域は、以下の目的で設計されたＲＦ帯域であってもよい：ＡＭＰ、ＴＤＭＡ、ＣＤＭＡ、ＧＳＭ、ＰＣＳ、３Ｇ、４Ｇ、５Ｇ、及び／又は任意の他の地上のセル方式のラジオ周波数帯域。概して、セル方式のラジオ周波数帯域は、スペクトルの使用を支配する政府機関又は他の団体によって割り当てられたＲＦスペクトルの一部である。幾つかのネットワークにおいて、複数のセル方式ＲＦ帯域をサポートすることができる。
【００６３】
ＨＬＲ（４１５）は、データベースを含むことができ、電子装置の識別情報を記憶して、該識別情報を認証してホームネットワーク（４１１）を介した通信が行われる。特に、各認証された装置に関して、ＨＬＲ（４１５）は、対応するＩＭＳＩを記憶することができ、これは、各認証された装置を識別する一意の番号である（又は、より具体的には、各認証された装置のＳＩＭカードを識別する）。また、ＨＬＲ（４１５）は、各ＩＭＳＩを、認証された装置の電話番号に対応するＭＳＩＳＤＮにペアリングすることができる。
【００６４】
データセンター（４２９）は、更に、ＳＩＰトランクプロバイダ（４１２）と通信するように構成されてもよい。実施形態によれば、ＳＩＰトランクプロバイダ（４１２）は、ＶｏＩＰ及びストリーミングメディア通信を可能にし、これにより、インターネット電話サービスプロバイダ（ＩＴＳＰ）が電話サービス及び統一された通信をＳＩＰベースの通信を備える顧客に送達する。各ホームネットワーク（４１１）及びＳＩＰトランクプロバイダ（４１２）（並びにデータセンター（４２９））は、モバイルスイッチングセンター（ＭＳＣ）（４１３）と通信することができる。実施形態によれば、ＭＳＣ（４１３）は、音声コール及び他のメッセージサービスを、エンド装置（例えば、電子装置（４０５）及び追加的装置（複数可）（４１０））へ、又はこれらからのルーティングを行う。特に、ＭＳＣ（４１３）は、エンドツーエンド接続をセットアップし、そしてリリースし、他の公知のサービスの中でも、コールの最中の移動性及びハンドオーバー要求を管理する。
【００６５】
実施形態によれば、前記例示図（４００）の構成要素は以下の動作を行うように構成される：電子装置（４０５）と１以上の追加的装置（４１０）との間の音声ベース通信を促進すること。一実施形態において、データセンター（４２９）は、乗物（４１７）中に存在する間移動する電子装置（４０５）によって開始されるＳＩＰメッセージを受信することができる。ここで、ＳＩＰメッセージは、追加的装置（４１０）との音声通信をセットアップすることが意図される。ＳＩＰメッセージがインターネットベースの通信として開始されているという理由から、ＳＩＰメッセージは、追加的装置（４１０）との従来の電話コールを、セットアップするように構成されてはいない。従って、データセンター（４２９）は、メッセージに関連する様々な技術を実行して、並びに、ＳＩＰトランクプロバイダ（４１２）及びＭＳＣ（４１３）を強化することができ、その結果、ＲＴＰストリームを、電子装置（４０５）と追加的装置（４１０）との間で確立することができ、音声ベース通信を促進することができる。
【００６６】
別の実施形態では、追加的装置（４１０）は、電子装置（４０５）に向けられた音声ベース通信を開始することができる。ＳＩＰトランクプロバイダ（４１２）は、メッセージをデータセンター（４２９）へ送信することによりセットアップされる音声ベース通信を開始することができる。データセンター（４２９）は、メッセージに関連する様々な技術を実行して、並びに、セル方式ネットワーク（４０７）を強化することができ、その結果、ＲＴＰストリームを、電子装置（４０５）と追加的装置（４１０）との間で確立することができ、音声ベース通信を促進することができる。
【００６７】
図５はシグナル図（５００）を表し、該図は、音声ベース通信を促進することに関連し、該通信は、発信元装置（５０５）に由来し、該装置は、非地上ベースのネットワークに接続される（例えば、発信元装置（５０５）が乗物（例えば航空機）に搭載される場合）。音声ベース通信は、地上ベースのネットワークに接続される送信先装置（５１０）に向けられたものであってもよい。本明細書に記載の実施形態によれば、音声ベース通信はＶｏＩＰであってもよいが、以下の点を理解されたい：即ち、他の音声ベース通信も意図している。シグナル図（５００）は以下を含む：発信元装置（５０５）（例えば、図４に関連して議論した電子装置（４０５））；ＳＢＣ／ＳＩＰサーバー（５２７）（例えば、図４に関連して議論したＳＢＣ／ＳＩＰサーバー（４２７））及び登録サーバー（５１４）（例えば、図４に関連して議論した登録サーバー（４１４））を含むデータセンター（５２９）；ＳＩＰトランクプロバイダ（５１２）（例えば、図４に関連して議論したＳＩＰトランクプロバイダ（４１２））；モバイルスイッチングセンター（５１３）（例えば、図４に関連して議論したモバイルスイッチングセンター（４１３））；並びに送信先装置（５１０）（例えば、図４に関連して議論した追加的装置（４１０））。議論目的として、以下の点を理解されたい：発信元装置（５０５）は、既に登録サーバー（５１４）への登録手続きを完了させており、そして、音声ベース通信を非地上ベースのネットワークを介して可能にする製品又はサービスも購入している。
【００６８】
発信元装置（５０５）のユーザーは、アプリケーションを使用することができ、該アプリケーションは、登録サーバー（５１４）に登録され、音声ベース通信（例えば、ＶｏＩＰコール）を開始することができる。特に、ユーザーは、送信先装置（５１０）に関連するＭＳＩＳＤＮ（即ち、電話番号）を入力することができ、及びコールを開始するための選択を行うことができる。図５には示していないが、発信元装置（５０５）は、ＳＢＣ／ＳＩＰサーバー（５２７）とのＴＬＳ接続を確立することができ、例えば、登録サーバー（５１４）への登録の最中に入手したデジタル証明書を用いて確立することができる。発信元装置（５０５）は、ＶｏＩＰコールに関連するＳＩＰ招待要求を、ＳＢＣ／ＳＩＰサーバー（５２７）に、ＴＬＳ接続を介して送信（５４４）することができる。ＳＩＰ招待要求は、発信元装置（５０５）の識別情報を含むことができ、例えば、発信元装置（５０５）のＩＭＳＩを含むことができる。ＳＢＣ／ＳＩＰサーバー（５２７）は、ＳＩＰ（１００）試行メッセージ用いて、発信元装置（５０５）に対して応答（５４５）することができる。ＳＩＰ（１００）試行メッセージの受信に応答して、発信元装置（５０５）は、ＲＴＰポートに割り当て（５４６）を行い、及びＲＴＰポート上の通信を傍受することができる。
【００６９】
ＳＢＣ／ＳＩＰサーバー（５２７）は、ＳＩＰメッセージを復号化（５４７）することができ、及び発信元装置（５０５）に関連するＩＰアドレスを探索（５４８）することができる。特に、ＩＰアドレスは、ケア・オブ・アドレス（ＣｏＡ）であってもよく、該アドレスは、ＳＢＣ／ＳＩＰサーバー（５２７）が予め発信元装置（５０５）と関連付けたものであってもよい。ＳＢＣ／ＳＩＰサーバー（５２７）は、発信元装置（５０５）のＩＰアドレスを変更（５４９）することができ、該変更は、ＳＩＰメッセージに含まれるＩＰアドレスを発信元装置（５０５）に関連付けられたＣｏＡに置き換えることによって行われる。ＩＰアドレスを変更した後、ＳＢＣ／ＳＩＰサーバー（５２７）は、変更されたＩＰアドレスを有するＳＩＰ招待メッセージを、登録サーバー（５１４）に送信（５５０）することができる。登録サーバー（５１４）は、ＳＩＰ招待メッセージを検査し、及び発信元装置（５０５）がアクティブな製品又はサービスを有しているかどうか確認（５５２）することができる。また、登録サーバー（５１４）は以下の置き換え（５５３）を行うことができる：ＳＩＰ招待メッセージ内で指定されている発信元装置（５０５）の識別情報（例えば、発信元装置（５０５）のＩＭＳＩ）を、発信元装置（５０５）に関連する電話番号（例えば、ＭＳＩＳＤＮ）に置換すること。
【００７０】
登録サーバー（５１４）は、発信元装置（５０５）に関連する電話番号を有するＳＩＰ招待メッセージを、ＳＩＰトランクプロバイダ（５１２）に送信（５５４）することができ、そして、ＳＩＰトランクプロバイダ（５１２）は、ＳＩＰ（１００）試行メッセージを用いて登録サーバー（５１４）に対して応答（５５５）することができる。登録サーバー（５１４）からのＳＩＰ招待メッセージを受信することに応答して、ＳＩＰトランクプロバイダ（５１２）は、イニシャルアドレスメッセージ／ＩＳＤＮユーザーパート（ＩＡＭ／ＩＳＵＰ）のセットアップ要求をモバイルスイッチングセンター（５１３）に送信（５５６）することができ、そして、モバイルスイッチングセンター（５１３）は、ＶｏＩＰコールを送信先装置（５１０）に接続（５５７）させることができる。
【００７１】
図５に示すように、送信先装置（５１０）のユーザーは、送信先装置（５１０）に対して、前記コールに回答（５５８）させることができ、これにより、モバイルスイッチングセンター（５１３）へ送信（５５９）されるコール回答通知のトリガーとなる。モバイルスイッチングセンター（５１３）は、コール回答通知をＳＩＰトランクプロバイダ（５１２）へ転送（５６０）することができる。コール回答通知を受け取ると、ＳＩＰトランクプロバイダ（５１２）は、ＳＩＰ（２００）ＯＫメッセージを登録サーバー（５１４）に送信（５６１）することができ、該登録サーバは、ＳＩＰ（２００）ＯＫメッセージを、ＳＢＣ／ＳＩＰサーバー（５２７）に転送（５６２）することができ、且つ、該ＳＢＣ／ＳＩＰサーバーは、ＳＩＰ（２００）ＯＫメッセージを発信元装置（５０５）に転送（５６３）することができ、発信元装置（５０５）に、送信先装置（５１０）がコールに回答した旨の通知を行うことができる。ＲＴＰストリームを確立（５６４、５６５）することができ、該ストリームを介して、音声ベース通信を、発信元装置（５０５）と送信先装置（５１０）との間で促進することができる。
【００７２】
図５には示していないが、以下の点を理解されたい：他の様々な音声ベース通信シナリオを扱う機能を意図している。特に、送信先装置（５１０）が音声ベースのコールに回答しない場合、ＳＩＰ（４８０）のＮｏＲｅｓｐｏｎｓｅメッセージが発信元装置（５０５）にリレーされてもよい。更に、送信先装置（５１０）がコールに回答する前に、発信元装置（５０５）は、そのコールをキャンセルしてもよく、こうした場合、ＳＩＰのキャンセルメッセージは、様々な装置及び構成要素にリレーされてもよい。
【００７３】
図６はシグナル図（６００）を示し、該図は、地上ベースのネットワークに接続される発信元装置（６１０）に由来する音声ベース通信を促進することに関する。更に、音声ベース通信は、非地上ベースのネットワークに接続される送信先装置（６０５）に向けられたものである（例えば、送信先装置（６０５）が乗物（例えば航空機）に搭載される場合）。本明細書に記載の実施形態によれば、音声ベース通信はＶｏＩＰコールであってもよいが、以下の点を理解されたい：即ち、他の音声ベース通信も意図している。シグナル図（６００）は以下を含む：送信先装置（６０５）（例えば、図４に関連して議論した電子装置（４０５））；、ＳＢＣ／ＳＩＰサーバー（６２７）（例えば、図４に関連して議論したＳＢＣ／ＳＩＰサーバー（４２７））及び登録サーバー（６１４）（例えば、図４に関連して議論した登録サーバー（４１４））を含むデータセンター（６２９）；、ＳＩＰトランクプロバイダ（６１２）（例えば、図４に関連して議論したＳＩＰトランクプロバイダ（４１２））；、ＨＬＲ（６１５）（例えば、図４に関連して議論したＨＬＲ（４１５））；、モバイルスイッチングセンター（６１３）（例えば、図４に関連して議論したモバイルスイッチングセンター（４１３））、並びに発信元装置（６１０）（例えば、図４に関連して議論した追加的装置（４１０））。議論目的として、以下の点を理解されたい：送信先装置（６０５）は、既に登録サーバー（４１４）への登録手続きを完了させており、そして、音声ベース通信を非地上ベースのネットワークを介して可能にする製品又はサービスも購入している。
【００７４】
発信元装置（６１０）のユーザーは、発信元装置（６１０）を使用して、音声ベース通信（例えば、ＶｏＩＰコール）を開始することができる（例えば、電話アプリケーションを介して）。特に、ユーザーは、送信先装置（６０５）に関連する電話番号を入力することができ、及びＶｏＩＰコールを開始するための選択を行うことができる。発信元装置（６１０）は、ＶｏＩＰコールを実行（６６７）することができ、該コールにより、発信元装置（６１０）は、送信先装置（６０５）に関連するＨＬＲ（６１５）に要求を送信することができる。ＨＬＲ（６１５）はコールの目的地（即ち、送信先装置６０５）を検査し、及び、送信先装置（６０５）のためのルーティング番号を、登録サーバー（６１４）から、要求（６６８）することができる。登録サーバー（６１４）は、送信先装置（６０５）に関するルーティング番号を割り当てることができ、そして、ルーティング番号をＨＬＲ（６１５）に提供（６６９）することができ、該ＨＬＲは、ルーティング番号をＭＳＣ（６１３）に転送（６７０）することができる。ルーティング番号を受信した後、ＭＳＣ（６１３）は、ルーティング番号を示すＩＡＭ／ＩＳＵＰセットアップ要求を、ＳＩＰトランクプロバイダ（６１２）に送信（６７１）する。
【００７５】
ＳＩＰトランクプロバイダ（６１２）は、ＩＡＭ／ＩＳＵＰセットアップ要求を使用して、ルーティング番号を含むＳＩＰ招待メッセージを生成することができ、そして、ＳＩＰ招待メッセージを登録サーバー（６１４）に送信（６７２）することができる。登録サーバー（６１４）は、ＳＩＰ招待メッセージを検査することができ、及び、送信先装置（６０５）がアクティブな製品又はサービスを有するかどうか確認（６７３）することができる。特に、送信先装置（６０５）のユーザーは、（例えば、フライト時又はフライト中）に、サービス又は製品を、利用可能なサービス又は製品のリストから予め選択してもよく、該リストは、以下を含むことができる：期間、データ制限、又は他のパラメーターに基づく送信先装置（６０５）への様々なセル方式接続のオプション。また、登録サーバー（６１４）は以下の置き換え（６７４）を行うことができる：ＳＩＰ招待メッセージ内で指定されるルーティング番号を送信先装置（６０５）に関連する識別情報に置換すること。幾つかの実施形態において、送信先装置（６０５）の識別情報は、送信先装置（６０５）のＩＭＳＩであってもよい。登録サーバー（６１４）は、ＳＩＰ招待メッセージをＳＢＣ／ＳＩＰサーバー（６２７）に送信（６７６）することができ、また、ＳＩＰ（１００）試行メッセージをＳＩＰトランクプロバイダ（６１２）に送信（６７５）することができる。
【００７６】
実施形態によれば、ＳＩＰ招待メッセージを受信した後、ＳＢＣ／ＳＩＰサーバー（６２７）及び送信先装置（６０５）は、ＴＬＳ接続を、様々な技術に従って確立することができ、例えば、送信先装置（６０５）に、登録手続きの最中に予め発行されたデジタル証明書を用いて確立することができる。更に、ＳＢＣ／ＳＩＰサーバー（６２７）は、ＳＩＰ招待メッセージを、送信先装置（６０５）に、確立されたＴＬＳ接続を介して送信（６７８）することができる。送信先装置（６０５）のユーザーは、送信先装置（６０５）に対して、前記コールに回答（６７９）させることができ、これにより、送信先装置が、ＳＩＰ（２００）ＯＫメッセージを、ＳＢＣ／ＳＩＰサーバー（６２７）に送信（６８０）することができる。ＳＢＣ／ＳＩＰサーバー（６２７）は、ＳＩＰ（２００）ＯＫメッセージを登録サーバー（６１４）に転送（６８１）することができ、該登録サーバーは、ＳＩＰ（２００）ＯＫメッセージをＳＩＰトランクプロバイダ（６１２）に転送（６８２）することができ、該プロバイダは、ＳＩＰ（２００）ＯＫメッセージをＨＬＲ（６１５）に転送（６８３）することができ、発信元装置（６１０）に関するコール要求をセットアップ（６８４）する。ＲＴＰストリームを確立（６８５、６８６）することができ、これを介して、音声ベース通信を、発信元装置（６１０）と送信先装置（６０５）との間で促進することができる。
【００７７】
図６には示していないが、以下の点を理解されたい：他の様々な音声ベース通信シナリオを扱う機能を意図している。特に、送信先装置（６０５）が音声ベースのコールに回答しない場合、ＳＩＰ（４８０）のＮｏＲｅｓｐｏｎｓｅメッセージが発信元装置（６１０）にリレーされてもよい。更に、送信先装置（６０５）がビジーの場合、ＳＩＰ（４８６）Ｂｕｓｙ  Ｈｅｒｅメッセージを様々な装置及び構成要素の間でリレーすることができる。
【００７８】
幾つかの実施形態において、図５及び図６に関連して説明した音声ベースのコールからの音声データを、テキストベースのデータに変換することができる。概して、乗物（例えば飛行機）の乗客は、音声コールに参加している別の乗物の乗客を聞きたがらない可能性がある。乗客は、更に、他のパーティの音声コールを、乗物上で参加している乗客の電子装置上で、聞きたがらない可能性がある（例えば、電子装置のスピーカーホンの特性を介して）。従って、少なくとも参加している乗客に関する音声データをテキストデータに変換することが望ましい可能性がある。更に、乗物で移動している間、積極的に音声コールに乗客が参加する機能を制限することが望ましい可能性がある。
【００７９】
音声ベース通信が非地上ベースのネットワークに接続される第一装置と地上ベースのネットワークに接続される第二装置との間で確立される場合、第一装置は、音（即ち、音声）を受信する代わり、ユーザーがテキストを（例えば、オンスクリーンキーボード、端末キーボード、又は別のチャンネルを介して）入力することを可能にすることができる。第一装置は、以下を含むことができる：入力されたテキストを音声に変換するためのロジック、（例えば、公知のテキストから音声へのアプリケーションを介して）。従って、第二装置は、データセンターを介してテキストから変換された音声を受信することができ、及び変換された音声をオーディオ出力構成要素を介して出力することができる。同様に、第二装置は、以下を含むことができる：ユーザーから受信した音データ（即ち、音声）をテキストに変換するためのロジック（例えば、公知の音声認識（ＳＲ）アプリケーションを介して）。第二装置は、生成したテキストをデータセンターに送信することができ、該センターは、生成したテキストを第一装置に転送することができる。従って、受信した音データを出力する代わりに、第一装置は、テキストを提示することができ、該テキストは、第二装置が初期の音データから変換したものである。幾つかの場合には、第二装置は、音データを変換する必要はなく、及び第一装置は、依然として、音データを、テキストの代わりに出力してもよい（例えば、音声が、第一装置のイヤホンスピーカー又はヘッドスピーカーを介して出力される場合）。更なる場合において、音声コールは、一方向音声コールとして促進されてもよく、ここで、第一装置は、受信した音を出力するが、音を第二装置に送信し返すことは行わない（例えば、マイクをミュートにすることによって）。
【００８０】
或いは、音及びテキスト転換技術は、他の構成要素によって促進されてもよい。幾つかの場合には、乗物の搭載通信ネットワークシステムは、以下を含むことができる：テキストから音声への変換又は音声からテキストへの変換のいずれか又は両方を実行するためのモジュール又はアプリケーション。別の場合には、データセンター（又は、より具体的には、登録サーバー）は、以下を含むことができる：テキストから音声への変換又は音声からテキストへの変換のいずれか又は両方を実行するためのモジュール又はアプリケーション。
【００８１】
実施形態によれば、テキスト及び音声ベース通信は他のネットワークを介して促進されてもよく、該通信は、図１〜６に関連して説明した地上ネットワークの実施に加えて又はこれの代わりとして促進されてもよい。一実施形態において、ハイブリッド通信システムを採用してテキスト及び音声ベース通信を促進することができ、これにより、図１に関連して説明したデータセンター（１２９）及びセル方式ネットワーク（１０７）は、電子装置間の幾つかの通信を促進することができ、また、データセンター（１２９）及び衛星ベースのネットワークは、電子装置間の他の通信を促進することができる。別の実施形態では、データセンター（１２９）及び衛星ベースのネットワークは、電子装置間のすべての通信を促進することができる。
【００８２】
図７は、情報又はデータを、乗物７０２によって輸送されている装置へ、及び乗物７０２によって輸送されている装置から伝達するための、ハイブリッド通信システム７００の例を描くブロック図である。システム７００は、データ又は情報を、データセンタ７０５（図１に関連して説明したデータセンタ１２９）から、又はデータセンタ７０５に含まれるハイブリッド伝達情報分配器７０４から、乗物７０２の１つに搭載された特定の装置（例えば、乗物７０２ｘに搭載された装置７１８）へ送達するように構成される。幾つかの履行例において、ハイブリッド通信システム７００は、乗物７０２ｘからデータセンタ７０５又はハイブリッド伝達情報分配器７０４へ、フィードバック情報を送達するように構成され、且つデータセンタ７０５又はハイブリッド伝達情報分配器７０４は、続いて起こるデータ送達を、搭載装置７１８又は他の搭載装置に知らせるために、フィードバック情報を使用してもよい。一実施形態において、ハイブリッド伝達情報分配器７０４及びデータセンタ７０５は、１つ以上の乗物データ送達ネットワーク７０６、１つ以上の順方向リンク７０８、及び１つ以上の逆方向リンク７１０を介して、乗物７０２と通信可能に接続される。
【００８３】
１つ以上の乗物７０２は、特定の個人によって所有されてもよく、及び／又は特定の個人によって動作されてもよい。幾つかの場合において、乗物７０２の１つ以上は、会社、団体又は政府機関によって所有されてもよく、及び／又は、会社、団体又は政府機関によって操作されてもよい。例えば、乗物７０２は、乗客を輸送するために使用される一群の乗物を含んでもよく、該乗客は、料金を払うか又は別の方法で、一群の乗物の１つに搭乗することを許可されている。ある状況においては、乗物７０２は、ある団体によって使用される１つ以上の乗物を含んでもよく、該団体は、従業員又は自らの客を輸送することを目的とする。１つ以上の乗物７０２は、生きた貨物又は生きていない貨物、小包、郵便物、及び／又は他のタイプの貨物を輸送するために使用してもよい。尚、図７は、乗物７０２を飛行機として描いているが、本明細書で説明される技術及び原理は、他のタイプの乗物に等しく適用され、ここで他のタイプの乗物とは、トラック、自動車、バス、列車、ボート、船、遊覧船、地下鉄列車、ヘリコプタ又は他のタイプの航空機、救急車又は他の緊急乗物、軍用乗物、他の航空乗物、水上乗物、又は陸上乗物、及び宇宙旅行に適した乗物のようなものである。
【００８４】
乗物７０２の各々は、１つ以上の順方向無線通信リンク７０８、及び１つ以上の逆方向無線通信リンク７１０を介して、データセンタ７０５と通信可能に接続されてもよい。リンク７０８、リンク７１０は、多重の無線周波数（ＲＦ）帯域によって、集合的にサポートされてもよい。通常、リンク７０８、リンク７１０をサポートするＲＦ周波数帯の、特定の周波数帯域又は一部分は、衛星通信、ハムラジオ通信、地上波移動体通信、近接無線通信などのような、特定のタイプの無線通信に対して（例えば、政府によって、又は規制団体によって）割り当てられる。幾つかの割り当てられた周波数帯域では、無線通信は、それぞれの無線通信プロトコルを使用して、順方向リンク及び対応する逆方向リンクを通して送信されてもよい。ここで、それぞれの無線通信プロトコルは、標準化協会によって、及び／又は政府によって、若しくは他の規制団体によって、定義される、指定される、又は別の方法で指示される。特定の周波数帯域は、例えば、ポイント・ツー・ポイントの無線プロトコルをサポートしてもよく、及び／又は、ブロードバンド無線プロトコルをサポートしてもよい。
【００８５】
各周波数帯域は、１つ以上のチャンネルを含んでもよい。チャンネルは、周波数区分、時間区分、符号区分、他の幾つかの適切なチャンネル区分、又はこれら区分の幾つかの組み合わせによって、形成され、定義され、又は割り当てられてもよい。チャンネル上で搬送される信号は、多重化されてもよいし、多重化されなくてもよい。周波数帯域に含まれる任意の１つ以上のチャンネルは、無線通信のための順方向リンク及び／又は逆方向リンクをサポートしてもよい（又は、サポートするように指定されてもよい）。加えて、周波数帯域に含まれる任意の１つ以上のチャンネルは、信号伝達、データ正味荷重（ペイロード）又は、信号及びデータ正味荷重の組み合わせを送達するために、使用されてもよい。例えば、特定の周波数帯域は帯域内プロトコルをサポートしてもよく、この帯域内プロトコルでは、信号伝達及び正味荷重は、帯域内の同じチャンネルを通して送信され、及び／又は特定の周波数帯域は、帯域外プロトコルをサポートしてもよく、この帯域外プロトコルでは、信号伝達及び正味荷重は、帯域内の異なるチャンネルを通してそれぞれ送信される。
【００８６】
乗物７０２ｘに固定的に接続されたトランシーバ又はモデムは、特定の周波数帯域に調整されてもよく、且つ、従って、それぞれのアンテナと一緒に、通信リンクの一方の端部として役立ってもよく、この通信リンクを通して、データは、乗物７０２ｘ上で受信されてもよい、及び／又は乗物７０２ｘから送信されてもよい。同様に、乗物７０２ｘに対して外部にある構造物７１２に固定的に接続されるトランシーバ又はモデムもまた、特定の周波数帯域に調整され、且つ、従って、それぞれのアンテナと一緒に、通信リンクの他方の端部として役立ってもよく、この通信リンクを通して、データは、乗物７０２ｘ上で受信されてもよく、及び／又は乗物７０２ｘから送信されてもよい。通信リンクの、乗物側でない端部を支持する構造物７１２は、例えば、地上の建物又は塔のような完全に静止した地上の構造物、海洋中のはしけのような比較的に静止した地球上の構造物、又は、衛星又は宇宙における他の構造物のような、地上ではない構造物であってもよい。図７において、構造物７１２の表示は、順方向リンク７０８及び逆方向リンク７１０を明瞭に示すために、二重化されている。しかしながら、実際には、各構造物７１２は、自身の上に単一の物理的トランシーバ又はモデムを有する一体化された構造であってもよく、トランシーバ又はモデムは、共にそれぞれ、順方向リンク７０８及び逆方向リンク７１０にサービスを提供する。例えば、テレポート７１２ｂは、衛星通信用に割り当てられた特定の周波数帯域の、衛星順方向リンク７０８ｂ及び衛星逆方向リンク７１０ｂの両方にサービスを提供するトランシーバを含んでもよい。幾つかの事例において、単一の構造物７１２は、複数のトランシーバ又はモデムを含んでもよく、これらの各々は、異なる周波数帯域に調整されてもよい。
【００８７】
更に構造物７１２に関しては、乗物７０２ｘに対する特定の通信リンク７０８、７１０の一方の端部を支持するトランシーバ又はモデムを有することに加えて、各構造物７１２は別のインターフェースを含んでもよく、この別のインターフェースを介して、データセンタ７０５におけるハイブリッド伝達情報分配器７０４への通信経路７１５が、通信可能に接続される。通信経路７１５に対するインターフェースは、有線通信インターフェース又は無線通信インターフェースであってもよい。
【００８８】
乗物７０２ｘは、１つ以上の周波数帯域にわたって、１つ以上の通信リンク７０８、７１０をサポートするための、１つ以上の固定的に接続されたモデム又はトランシーバを含んでもよく、且つ乗物７０２ｘは、乗物７０２ｘ上でデータを受信し、及び／又は乗物７０２ｘからデータを送信するために、これらのモデム又はトランシーバを利用してもよい。例えば、乗物７０２ｘは、自身の上にトランシーバ又はモデムを含んでもよく、これらのトランシーバ又はモデムは、乗物７０２と地上ステーションとの間での直接通信に対して割り当てられる周波数帯域、又は、直接の空対地（ＡＴＧ）通信リンクがサポートされる（例えば、８４９〜８５１ＭＨｚ及び８９４〜８９６ＭＨｚ）周波数帯域に調整される。そのようなＡＴＧ通信リンクは、図７において、順方向リンク７０８ａ及び逆方向リンク７１０ａによって表される。乗物７０２ｘは、加えて又は代わりに、自身の上にトランシーバ又はモデムを含んでもよく、これらのトランシーバ又はモデムは、衛星通信（図７では、順方向リンク７０８ｂ及び逆方向リンク７１０ｂによって表される）のために割り当てられる周波数帯域に調整されるが、ここでその周波数帯域は、Ｌ帯域（例えば、４０〜６０ＧＨｚ又は１〜２ＧＨｚ）、Ｋｕ帯域（例えば、１２〜１８ＧＨｚ）、Ｋａ帯域（例えば、２６．５〜４０ＧＨｚ）、及び／又は衛星通信に対して割り当てられる他の周波数帯のようなものである。
【００８９】
乗物７０２ｘに関して確立することができる通信リンクの他の例は、地上波携帯通信リンク又は地上波移動体（セル方式）通信リンク（図７では、参照符号７０８ｃ／７１０ｃによって表される）を含み、これらは、例えば、ＴＤＭＡ（時間分割多重アクセス）、ＧＳＭ（携帯型通信のためのグローバルシステム）、ＣＤＭＡ（符号分割多重アクセス）Ｗｉ−ＭＡＸ（マイクロ波アクセスのための世界的な相互運用性）、ＬＴＥ（長期進化）、及び／又は他の地上波携帯通信技術をサポートする通信リンクである。乗物７０２ｘに関して確立することができる通信リンクのタイプで、更に別の例は、無線ローカル・エリア・ネットワーク（ＷＬＡＮ）又は、Ｗｉ−Ｆｉ割り当てされた周波数帯域（例えば、２．４及び／又は５ＧＨｚ）上でサポートされたＷｉ−Ｆｉ（登録商標）リンクである。ここでＷｉ−Ｆｉリンクは、ＩＥＥＥ（電気電子技術者協会）８０２．１１規格に対するプロトコルを用いるが、これは、Ｗｉ−Ｆｉ順方向リンクに対する参照符号７０８ｃ、及びＷｉ−Ｆｉ逆方向リンクに対する参照符号７１０ｃによって、図７に表される通りである。乗物７０２ｘに関して確立することができる無線通信リンクのタイプで、更に他の例は、赤外の、マイクロ波の、又は他の光をベースにした通信リンク、又は通視線（ＬＯＳ、Ｌｉｎｅ  ｏｆ  Ｓｉｇｈｔ）無線通信リンクを含む。しかしながら、明瞭なことであるが、順方向通信リンク及び／又は逆方向通信リンクを含む、任意の適切な無線通信リンクは、データセンタ７０５又はハイブリッド伝達情報分配器７０４と乗物７０２ｘとの間の通信をサポートしてもよい。
【００９０】
一実施形態において、乗物７０２ｘに固定的に接続されたトランシーバ又はモデムの１つ以上は、一方向性モードで動作してもよく、その一方で、乗物７０２ｘに固定的に接続された１つ以上の他のトランシーバ又はモデムは、双方向性モードで動作してもよい。例えば、衛星通信周波数帯に調整される、乗物７０２ｘ上のトランシーバ又はモデムは、受信専用モードで利用してもよく、その一方で、ＡＴＧ通信周波数帯に調整される、乗物７０２ｘ上の別のトランシーバ又はモデムは、受信モード及び送信モードの両方で利用してもよい。
【００９１】
さて、システム７００のデータセンタ７０５に含まれるハイブリッド伝達情報分配器７０４に目を向けると、ハイブリッド伝達情報分配器７０４は、一実施形態において、１セットのコンピュータ実行可能な命令を備えてもよく、これらの命令は、１つ以上の非一時的な、有形のコンピュータ可読な格納媒体（例えば、１つ以上のメモリ又はデータ格納実体）の上に格納され、且つデータセンタ７０５の１つ以上のプロセッサによって、実行可能である。（データセンタ７０５は、一般に、プロセッサを有する１つ以上のコンピューティング装置を含み、且つ本開示の後方の節で、より詳細に説明される。）ハイブリッド伝達情報分配器７０４は、例えば、乗物７０２ｘによって輸送されている装置７１８へ、及び乗物７０２ｘによって輸送されている装置７１８から、リンク７０８及びリンク７１０を通して、データ又は情報を送達することを管理してもよい。
【００９２】
装置７１８は、乗物７０２ｘに固定的に接続される装置であってもよく（例えば、航空機上の列線交換ユニット（ＬＲＵ）に含まれるコンピューティング装置）、又は装置は、乗物によって一時的に輸送されているスマートフォン、タブレット又はラップトップのような携帯型装置（例えば、乗物に搭乗している乗客に属する携帯型コンピューティング装置）であってもよい。一実施形態において、装置７１８はコンピューティング装置であり、このコンピューティング装置は、少なくとも１つのメモリと、少なくとも１つのプロセッサと、好みに応じて、少なくとも１つのユーザインターフェースと、少なくとも１つの無線ネットワークインターフェースとを含む。本明細書で使用されるように、「目標装置」、「受信側装置」及び「装置」という用語は、乗物に搭載されているか、又は乗物によって輸送されている装置７１８を指すために、交換可能に使用される。そして、これらに対して、乗物の外部にあるデータが、電子的に送達されることになる。
【００９３】
装置７１８へ送達されるべきデータは、任意のタイプのデータを含んでもよい。例えば、データは、ユーザが消費可能なコンテンツデータを含んでもよく、それらは、テキストメッセージ、ウェブページ、メディアファイル、ストリームデータ、及び／又は装置７１８のユーザインターフェースで受信された以前の要求に対する応答などが挙げられる。幾つかの場合において、装置７１８へ送達されるべきデータは、装置７１８のユーザインターフェースで提示されるべきデータを含む。幾つかのシナリオにおいて、装置７１８へ送達されるべきデータは、アプリケーション、構成、更新、又は装置７１８のユーザがダウンロードすることを要求したソフトウェアであってもよい。
【００９４】
一実施形態において、ハイブリッド伝達情報分配器７０４は、順方向リンク７０８の１つを選択してもよいが、これらの順方向リンク７０８は、装置７１８へデータ又は情報を送達するための、それぞれ１つ以上の割り当てられた周波数帯域によってサポートされる。また、ハイブリッド伝達情報分配器７０４は、割り当てられた異なる周波数帯域によってサポートされる逆方向リンク７１０を通して、乗物７０２ｘからフィードバックデータ又はフィードバック情報を受信してもよい。例えば、ハイブリッド伝達情報分配器７０４は、リンク７０８から、１つの特定の順方向リンク、例えば、衛星通信順方向リンク７０８ｂを選択してもよく、この特定の順方向リンクは、装置７１８へ順方向データを送達するための、特定の周波数帯域によってサポートされる。ハイブリッド伝達情報分配器７０４は、リンク７１０から、特定の逆方向リンクを介して、乗物７０２ｘからフィードバック情報を受信してもよい。ここでリンク７１０（例えば、ＡＴＧ逆方向リンク７１０ａ）は、順方向データが送達された特定の周波数とは異なる周波数帯域によってサポートされる。幾つかの実施形態において、特定の逆方向リンクは、１セットの逆方向リンク７１０から選択されてもよい。それ故に、この実施形態において、順方向リンク及び、異なる周波数帯域の逆方向リンクは、一対にされるか、又はデータ送達目的のために関連付けられる。
【００９５】
少なくとも、順方向リンク及び逆方向リンクは、異なる周波数帯域によってサポートされるため、異なるメッセージプロトコル及び／又は送達方式（例えば、ブロードキャスト、マルチキャスト、ユニキャスト）は、乗物７０２からフィードバック情報を受信するために使用するほかに、乗物７０２へ情報を送信するために使用してもよい。例えば、ブロードバンドプロトコルは、選択された順方向リンク７０８ｂを通してデータを送達するために利用してもよく、且つポイント・ツー・ポイント・プロトコルは、逆方向リンク７１０ａを通してデータを送達するために利用してもよい。加えて又は代わりに、ハイブリッド伝達情報分配器７０４は、伝送が、順方向リンク７０８ｂを通してマルチキャストされることを引き起こしてもよく、且つユニキャスト形式において、逆方向リンク７１０ａを通して、フィードバック情報を受信してもよい。周波数帯域、メッセージプロトコル、及び／又は順方向リンク７０８及び逆方向リンク７０８にわたる送達方法、及びこれらの選択に関して、そのように異なっていることにより、既存のモデム制約、及び／又は規制要求に従いながら、同時に、ハイブリッド通信システム７００は、利用可能な周波数帯を効率的に利用することができるかもしれない。
【００９６】
一実施形態において、ハイブリッド伝達情報分配器７０４は、リンク７０８（これらの各々は、異なる周波数帯域によってサポートされてもよい）から１つ以上の順方向リンクを選択してもよいが、この選択は、乗物７０２ｘに搭載された装置７１８において、全体として、受信されるべきデータ又は情報の、分散された送達又はハイブリッド送達のために行われる。例えば、ハイブリッド伝達情報分配器７０４は、順方向データを、全体として、装置７１８へ送達するために、衛星通信順方向リンク７０８ｂ及びＡＴＧ順方向リンク７０８ａの両方を選択してもよく、且つデータの第１部分は、衛星順方向リンク７０８ｂを使用して送達されてもよく、その一方で、データの第２部分は、ＡＴＧ順方向リンク７０８ａを使用して送達されてもよい。幾つかの場合、２つより多い順方向リンク７０８が、乗物７０２ｘへの分散されたデータ送達のために選択されてもよい。この例では、ハイブリッド伝達情報分配器７０４は、選択された順方向リンクの１つと同じ周波数帯域に含まれる逆方向リンク（例えば、衛星通信逆方向リンク７１０ｂ又はＡＴＧ逆方向リンク７１０ａ）を介して、乗物７０２ｘからフィードバック情報を受信してもよい。代わりに、ハイブリッド伝達情報分配器７０４は、選択された順方向リンクのいずれかと同じ周波数帯域に含まれない逆方向リンク、例えば、逆方向リンク７１０ｃを介して、乗物７０２ｘからフィードバック情報を受信してもよい。
【００９７】
従って、上記の観点から、分散された方法又はハイブリッドな方法において、データを乗物７０２へ送信し、且つ乗物７０２からフィードバック情報を受信するために、一般に、ハイブリッド伝達情報分配器７０４は、選択された順方向リンク７０８、逆方向リンク７１０、メッセージプロトコル、及び／又は送達方式の任意の適切な組み合わせを利用してもよい。ハイブリッド伝達情報分配器７０４及び、その１つ以上の順方向リンク７０８及び逆方向リンク７１０の選択及び使用、メッセージプロトコル、及び／又はハイブリッド伝達情報分配器７０４と搭載装置７１８との間のデータ送達のための送達方式は、本開示の後方の節において、より詳細に説明する。
【００９８】
ここで乗物７０２に目を向けると、乗物７０２のある部分又は全ては（例えば、乗物７０２ｘ）、各々がそれぞれの搭載ノード７２０を含んでもよいが、この目的は、乗物７０２ｘ上で受信され、且つ特定の搭載装置７１８へ送達されることが意図されるデータを管理するためである。一実装形態において、搭載ノード７２０は、データを管理してもよく、該データは搭載装置７１８によって生成され、且つ乗物７０２ｘから送信されるべきものであってもよい。更に、乗物７０２ｘ自体の中で、搭載ノード７２０は、例えば、乗物７０２ｘ内に収容される１つ以上の通信ネットワークを使用することによって、搭載装置７１８への、及び搭載装置７１８からのデータの伝達情報を管理してもよい。一実施形態において、搭載ノード７２０は、乗物７０２ｘに固定的に接続された１つ以上のトランシーバ又はモデムと通信可能に接続される１つ以上のコンピューティング装置を含んでもよい。そして更に、搭載ノード７２０は、乗物７０２ｘ内に収容された、１つ以上の有線通信ネットワーク及び／又は無線通信ネットワークと通信可能に接続される。一実施形態において、搭載ノード７２０は、前述の「乗物データ分配システム及び方法」と題する同時係属の米国特許出願第１３／６７５，２００号で説明されるデータ分配装置のような、搭載されたデータ分配システム又は装置に含まれる。
【００９９】
幾つかの場合、搭載ノード７２０は、ハイブリッド伝達情報収集器７２２を含んでもよい。一実施形態において、ハイブリッド伝達情報分配器７０４は、１セットのコンピュータ実行可能な命令を含んでもよく、これらの命令は、非一時的な、有形のコンピュータ可読な格納媒体（例えばメモリ）上に格納され、且つ搭載ノード７２０の１つ以上のプロセッサによって実行可能である。ハイブリッド伝達情報収集器７２２は、１つ以上の順方向リンク７０８及びそれぞれのモデムを介して、ハイブリッド伝達情報分配器７０４によって提供される伝達情報を受信してもよく、ここで、この伝達情報の内容は、特定の搭載装置７１８へ送達されることが意図される。ハイブリッド伝達情報収集器７２２は、受信装置７１８を決定してもよく、且つ受信された伝達情報の内容が、１つ以上の搭載ネットワークを介して、受信装置７１８へ送達されることを引き起こしてもよい。加えて、ハイブリッド伝達情報収集器７２２は、フィードバックデータまたは情報が、１つ以上の逆方向リンク７１０及びそれらリンクのそれぞれのモデムを介して、ハイブリッド伝達情報分配器７０４への送達のために、送信されることを引き起こしてもよい。フィードバックデータ又は情報は、例えば、１つ以上の順方向リンク７０８を通して以前に受信された、任意の１つ以上の伝達情報に関連付けられるデータ又は情報、任意の１つ以上の順方向リンク７０８の状態又は条件を示すデータ又は情報、及び／又は、任意の１つ以上の逆方向リンク７１０の状態又は条件を示すデータ又は情報を含んでもよい。
【０１００】
さて、乗物データ送達ネットワーク７０６に目を向けると、一実施形態において、乗物データ送達ネットワーク７０６の少なくとも一部分は、地上の場所に配置されてもよく、例えば、パケット・ネットワーク・ルータ、光スイッチなどは、地上の気候制御された構造物内に設置されてもよい。一実施形態において、乗物データ送達ネットワーク７０６の少なくとも一部分は、地上ではない場所に配置されてもよく、例えば、ルーティングノードは、衛星又は航空機の上に配置されてもよい。乗物データ送達ネットワーク７０６は、パブリックネットワーク、プライベートネットワーク、又は１つ以上のパブリックネットワークと１つ以上のプライベートネットワークとの幾つかの組み合わせを含んでもよい。乗物データ送達ネットワーク７０６は、通信ネットワーク、データネットワーク、パケットネットワーク、又はこれらの幾つかの組み合わせを含んでもよい。乗物データ送達ネットワーク７０６は、ホストネットワークを含んでもよく、又は、ピア・ツー・ピア又は、他のタイプのアドホックなネットワークであってもよい。実際に、乗物データ送達ネットワーク７０６は、データ送達のための、任意の知られたネットワーク技術又はこれらの組み合わせを使用してもよい。例えば、乗物データ送達ネットワーク７０６は、１つ以上の構造物７１２と、データセンタ７０５又はデータセンタ７０５におけるハイブリッド伝達情報分配器７０４との間でデータを送達するための、任意の知られたネットワーク技術又はこれらの組み合わせを使用してもよい。一般に、乗物データ送達ネットワーク７０６は、通信可能に接続される複数のコンピューティング装置を含んでもよい。乗物データ送達ネットワーク７０６の１つ以上の部分は、一実施形態において、前述の「乗物データ分配のための地上システム」と題する同時係属の米国特許出願第１３／６７５，１９０号で説明された、地上をベースにしたシステムに含まれてもよい。
【０１０１】
データセンタ７０５は、乗物データ送達ネットワーク７０６と通信可能に接続されてもよく、且つ通信可能な接続において、１つ以上のコンピューティング装置を含んでもよく、その結果、１つ以上のコンピューティング装置は、他のネットワーク及び／又はコンピューティング装置に対して集団的に、単一の論理的実体として見える。一実施形態において、データセンタ７０５は、ハイブリッド伝達情報分配器７０４を含む。データセンタ７０５は、地上の環境において（例えば、１つ以上の静止した建物又は構造物の中で）、少なくとも部分的に設置してもよい。例えば、データセンタ７０５の１つ以上の部分は、前述した同時係属の米国特許出願第１３／６７５，１９０号で説明された地上分配ネットワークのような、地上分配ネットワークに含まれてもよい。一実施形態において、データセンタ７０５の少なくとも一部分は、地上でない環境に（例えば、航空機、衛星、又は宇宙ステーションの上に）設置してもよい。しかしながら、明瞭なことであるが、データセンタ７０５は、静止、移動、乗物の中、地上、又は地上でないことを問わず、任意の適切な環境に設置してもよい。一実施形態において、複数のデータセンタ７０５がハイブリッド通信システム７００に含まれてもよいが、これは、異なるタイプのデータ、異なる顧客、異なる地理的エリア、又は、他の任意の望ましい区別又は適切な区別に対してサービスを提供するためである。
【０１０２】
データセンタ７０５、及び特にデータセンタ７０５に含まれるハイブリッド伝達情報分配器７０４は、１つ以上のゲートウェイ７３０を介して、他の１つ以上のネットワーク７３２と通信可能に接続されてもよい。一般に、ゲートウェイ７３０は、通信可能な接続において、１つ以上のコンピューティング装置を含んでもよく、且つ、ハイブリッド通信システム７００と、他の１つ以上のネットワーク７３２との間の境界として役立ってもよい。幾つかの実施形態において、ゲートウェイ７３０に含まれるコンピューティング装置の少なくとも幾つかはまた、データセンタ７０５に含まれてもよい。ゲートウェイ７３０と通信可能に接続される、他の１つ以上のネットワーク７３２は、例えば、インターネット、ＰＳＴＮ（公衆電話交換網）、及び／又は他の幾つかのパブリックネットワークを含んでもよい。加えて又は代わりに、他の１つ以上のネットワーク７３２は、１つ以上のプライベートネットワークを含んでもよい。１つ以上のネットワーク７３２は、任意の数の有線ネットワーク及び／又は無線ネットワークを含んでもよい。図７は、１つのゲートウェイ７３０を介して他の１つのネットワーク７３２に接続されているデータセンタ７０５を示しているが、本明細書で説明される技術及び原理は、ハイブリッド通信システム７００に等しく当てはまり、ここでハイブリッド通信システム７００は、任意の数のゲートウェイ７３０を介して、任意の望ましい数の他のネットワーク７３２を有する、及び／又は、任意の望ましい数の他のネットワーク７３２と通信可能に接続されている。システム７００の幾つかの実施形態において、ゲートウェイ７３０は、省略してもよい。
【０１０３】
一実施形態において、他のネットワーク７３２は、例えばゲートウェイ７３０を介して、又は直接接続を介して、データを提供してもよく、ここでデータは、乗物７０２ｘに搭載される特定の装置７１８へ送達されることになる。一例において、他のネットワーク７３２は地上波移動体ネットワークと通信可能に接続されたＰＳＴＮであり、この地上波移動体ネットワークを、装置７１８はホームとしており、且つ装置７１８へ送達されるべきデータは、ホームシステムによって転送されるテキストメッセージ又はボイスメールである。別の例において、他のネットワーク７３２は、ゲートウェイ７３０を介して、１つ以上のコンピューティング装置と通信可能に接続されるが、これらのコンピューティング装置は、装置７１８のユーザがアクセスを要求するウェブサイトを提供する。そして、ウェブサイトに関連付けられる情報（例えば、ウェブページ、オブジェクト、及びそれについてのリンク）は、ユーザ要求に応じて、装置７１８のユーザインターフェース上に表示するために、装置７１８へ送達されることになる。更に別の例において、他のネットワーク７３２は、ストリーミング・メディア・プロバイダと通信可能に接続され、且つストリーム・ビデオ・ファイルは、ユーザインターフェースにおいて装置のユーザによって消費されるために、搭載装置７１８へ送達されるべきデータである。もちろん、乗物７０２ｘに搭載され、指定された装置７１８へ送達するために、任意のタイプのデータが、（必要ならば、ゲートウェイ７３０を介して）、他の任意のネットワーク７３２によって、データセンタ７０５に提供されてもよい。ここで任意のタイプのデータとは、例えば、テキストメッセージ、ウェブページ、メディアコンテンツ、ストリーミングデータ、装置７１８のユーザインターフェースで受信された以前の要求に対する応答、装置７１８のユーザインターフェースで提示されるべきデータ、アプリケーション、構成、又は装置７１８のユーザが、他のネットワーク７３２からダウンロードすることを要求した他のソフトウェアである。加えて、ハイブリッド伝達情報分配器７０４で受信される、搭載装置７１８からの返答データ又は情報（例えば、ユーザ制御の起動、返答テキストメッセージ、要求又はコマンドなど）は、（必要ならば、ゲートウェイ７３０を介して）他のネットワーク７３２へ送達してもよい。
【０１０４】
図８は、乗物によって輸送されている装置に、及び乗物によって輸送されている装置から、伝達情報を提供するための方法８００の例を示す。一実施形態において、方法８００は、図７のハイブリッド通信システム７００によって、少なくとも部分的に実施されるが、しかし、方法８００のある部分又は全ては、システム７００以外の通信システムによって、実施されてもよい。一実施形態において、方法８００の少なくとも一部分は、データセンタ７０５によって、又はデータセンタ７０５のハイブリッド伝達情報分配器７０４によって、実施されてもよい。議論を簡単にするために、方法８００は、図７のシステム７００を同時に参照しながら、以下で説明される。しかしながら、これは、多くの実施形態の中の単なる１つであり、且つ非限定的であると理解される。
【０１０５】
以前に議論したように、伝達情報に含まれるデータ又は情報の受信側装置は、乗物に固定的に接続されるコンピューティング装置であってもよく（例えば、航空機上のＬＲＵに含まれる装置）、又は装置は、乗物によって一時的に輸送されているスマートフォン、タブレット又はラップトップコンピューティング装置のような、携帯型コンピューティング装置であってもよい。実際に、装置は、搭載ノードと通信可能に接続される、任意の搭載通信ネットワークに接続された任意の装置であってもよく、そこでは搭載ノードを介して、データは、乗物上で受信される、及び／又は乗物から送達される。限定目的ではないが、議論を簡単にするために、方法８００は、１つのシナリオ例の文脈において以下で説明され、そのシナリオでは、装置７１８は、特定の乗物７０２ｘによって輸送されている。
【０１０６】
ブロック８０２では、特定の乗物７０２ｘによって輸送されている特定の装置７１８へ送達されるべきコンテンツは、例えば、ネットワーク７３２、乗物データ送達ネットワーク７０６、データセンタ７０５から、又は他の任意の適切なソースから、受信してもよい。例えば、データセンタ７０５又は、データセンタ７０５のハイブリッド伝達情報分配器７０４は、装置７１８へ送達されるべきコンテンツを受信してもよい。受信されたコンテンツは、装置７１８のユーザによって消費されることができ、任意のタイプのデータを含んでもよく、これらのデータは、テキストメッセージ、ウェブページ、メディアコンテンツ、ストリーミングデータ、装置７１８のユーザインターフェースで受信された以前の要求に対する応答、及び／又は装置７１８のユーザインターフェースで提示されるべきデータのようなものである。幾つかの場合、受信されたコンテンツは、アプリケーション、構成、装置７１８のユーザが装置７１８にダウンロードすることを要求した他のソフトウェア、又は他のデータであってもよい。
【０１０７】
一実施形態において、コンテンツは、受信されたコンテンツが、装置７１８に対してのみ、特に送達されるべきであるという指示に関連して、受信される。例えば、受信されたコンテンツは、１つ以上のパケット、メッセージ又は他の伝達形式において受信されてもよく、ここで他の伝達形式は、特定の装置７１８を、特別に且つ単独で指示する、又は識別する行先アドレスを含む。幾つかの場合、特定の装置７１８は、コンテンツを受信するべき、１セットの乗物７０２によって輸送されている唯一の装置である。装置７１８のコンテンツ及び指示を受信するにあたり、ハイブリッド伝達情報分配器７０４は、装置７１８が、乗物７０２ｘによって、現在輸送されている（例えば、装置が搭載されている）ことを決定してもよい。
【０１０８】
ブロック８０５では、伝送（例えば、メッセージ、パケット、又は他の適切な通信形式）が、乗物データ送達ネットワーク７０６及び順方向リンク７０８を介して、乗物７０２ｘへ送信されることが引き起こされてもよく、乗物７０２ｘ上で装置７１８が輸送されている。例えば、ハイブリッド伝達情報分配器７０４は、順方向伝送が、乗物７０２ｘへ送信されることを引き起こしてもよい。順方向伝送は、装置７１８の受信されたコンテンツ及び指示の少なくとも一部を含んでもよく、そこでは、装置７１８に対して、順方向伝送に含まれるコンテンツが送達される。順方向リンク７０８は、第１の割り当てられた周波数帯域によってサポートされてもよく、順方向リンク７０８は、例えば、ＡＴＧ通信帯域の順方向リンク７０８ａ、又は衛星通信帯域の順方向リンク７０８ｂであってもよい。一実施形態において、順方向リンク７０８は、ブロードバンド通信に対して割り当てられた周波数帯域に含まれてもよい。
【０１０９】
一実施形態において、順方向伝送は、マルチキャスト伝送として送信されてもよく、これは、例えば、本質的に並列の方法において、（乗物７０２ｘを含む）複数の行先に対して送信される伝送である。順方向伝送に含まれるコンテンツは、装置７１８にのみ送達されるべきではあり、乗物７０２ｘに搭載された他の装置、又は他の乗物７０２に搭載された他の装置へ送達されるべきではないものの、順方向伝送は、複数の乗物７０２に対してマルチキャストされてもよい。一実施形態において、ハイブリッド伝達情報分配器７０４は、装置７１８へ送達されるべきコンテンツ、及び順方向伝送における装置７１８の指示又は識別子を含んでもよく、且つハイブリッド伝達情報分配器７０４は、順方向伝送が、順方向リンク（例えば、衛星通信帯域の順方向リンク７０８ｂ）を通して、マルチキャストされることを引き起こしてもよい。そのため、マルチキャスト伝送は、特定の乗物７０２ｘによって、及び１つ以上の他の乗物７０２によって受信されてもよく、これらの乗物は、ある周波数帯域に調整されたモデムを有し、その周波数帯域を通して、順方向伝送がマルチキャストされる。マルチキャスト伝送を受信する各乗物７０２は、例えば、マルチキャスト伝送に含まれる装置７１８の指示に基づいて、マルチキャスト伝送において搬送されるコンテンツが送達されるべき装置７１８が、現在搭載されているか否かを、個々に決定してもよい。一実施形態において、複数の乗物に搭載された複数の受信側装置にそれぞれ送達されるべき複数のコンテンツは、単一の順方向伝送の中に多重化されてもよい。
【０１１０】
ブロック８０８では、順方向リンクを通して乗物７０２ｘへ送信された順方向伝送に対応するフィードバック情報又はデータが、受信される。一実施形態において、フィードバック情報は、ハイブリッド伝達情報分配器７０４で受信されるが、この受信は、順方向伝送が送信された順方向リンクをサポートする周波数帯域とは、異なって割り当てられた周波数帯域によってサポートされる逆方向リンクを介して行われる。例えば、もし、ブロック８０５で、順方向伝送が送信される順方向リンクが、衛星通信リンクの順方向リンク７０８ｂである場合、ブロック８０８で、フィードバック情報が受信される逆方向リンクは、ＡＴＧ逆方向リンク７１０ａ又はＷｉ−Ｆｉ逆方向リンク７１０ｃであってもよい。一実施形態において、フィードバック情報は、逆方向リンクを通して送信されるユニキャスト伝送に含まれる。例えば、ユニキャスト伝送は、選択された戻りのリンク７１０を介して、乗物７０２ｘから送信されてもよい。フィードバック情報は、その後、例えば、ユニキャスト伝送形式又は別の形式を使用した乗物データ送達ネットワーク７０６を介して、ハイブリッド伝達情報分配器７０４へ送達されてもよい。
【０１１１】
フィードバック情報は、一実施形態において、順方向伝送に対応する情報又はデータを含んでもよい（ブロック８０２）。例えば、フィードバック情報は、順方向リンクを通して乗物７０２ｘで受信された順方向伝送に対応する信号伝達情報を含む可能性があり、例えば、フィードバック情報は、順方向伝送の受信通知、又は期待されるコンテンツが順方向伝送において受信されなかったという指示の受信通知のような、逆方向信号伝達を含んでもよい。それ故に、１つの周波数帯域の順方向リンクは、順方向データ又は正味荷重送達リンクとして役立つ可能性がある。そして、別の周波数帯域の逆方向リンクは、順方向データリンク又は正味荷重送達リンクに対応する信号伝達リンクとして役立つ可能性がある。異なる周波数帯域において順方向リンク及び逆方向リンクをそのように使用することにより、幾つかの場合において、ある一定のハードウェア／ソフトウェア制約又は規制要求に従いながら、利用可能な通信周波数帯を効率良く使用することができる可能性がある。
【０１１２】
例えば、乗物７０２ｘ又は乗物７０２に搭載された様々な装置へ、それぞれ送達される複数の順方向データは、ブロードバンド順方向リンク（例えば、順方向衛星通信リンク７０８ｂ）を通して、単一の順方向伝送の中に多重化されてもよい。一実施形態において、多重化された順方向伝送は、複数の乗物７０２へマルチキャストされてもよい。順方向伝送に対応する逆方向信号伝達は、乗物７０２ｘ（又は乗物７０２）から、対応するより高い帯域幅の逆方向リンクを通してというよりは、より低い帯域幅の逆方向リンクを通して（例えば、逆方向ＡＴＧリンク７１０ａ又は逆方向Ｗｉ−Ｆｉリンク７１０ｃを介して）送信されてもよい（例えば、逆方向信号伝達は、この例では、逆方向衛星通信リンク７１０ｂを通して送信されない）。幾つかの場合において、正味荷重に対応する順方向信号伝達は、ハイブリッド伝達情報分配器７０４から、より低い帯域幅のリンク（例えば、順方向ＡＴＧリンク７０８ａ又は順方向Ｗｉ−Ｆｉリンク７０８ｃ）を通して送信されてもよい。
【０１１３】
幾つかの実施形態において、フィードバック情報は、順方向伝送が受信される順方向リンクの伝送の、利用可能性、帯域幅、及び／又は品質に対応する情報を含んでもよい。例えば、搭載データ分配ノード７２０は、順方向伝送が受信された順方向リンクの品質を決定してもよいが、この決定は、エラー訂正、遅延、及び／又はコンテンツが期待されたものであるか、又はそうでないものかのような、受信された順方向伝送の特性に基づいて行われる。幾つかの場合において、搭載データ分配ノード７２０は、順方向リンクの品質（及び／又は、その事項に対する、順方向リンクの利用可能性又は帯域幅）を決定してもよいが、この決定は、順方向リンクを通して受信された信号の強度、リンクモニタによって検出された情報などのような、他のデータを介して行われる。同様な方法で、搭載データ分配ノード７２０は、他の順方向リンク７０８の、及び／又は、逆方向リンク７１０のいずれか又は全ての伝送の利用可能性、帯域幅、及び／又は品質を決定してもよい。
【０１１４】
ブロック８１０では、続いて起こる伝送が乗物７０２ｘへ送達されるべき順方向リンク（例えば、「続いて起こる順方向リンク」）は、受信されたフィードバック情報に基づいて選択されてもよい。一実施形態において、ハイブリッド伝達情報分配器７０４がフィードバック情報を受信した後（ブロック８０８）、ハイブリッド伝達情報分配器７０４は、受信されたフィードバック情報に基づいて、続いて起こる伝送を乗物７０２ｘへ送達するために使用するべき、続いて起こる順方向リンクを選択してもよい。例えば、もしフィードバック情報が、順方向リンクの１つの伝送又は帯域幅の品質が閾値未満に落ちたことを示す場合、その特定の順方向リンクは、順方向リンクの選択集団から除去されてもよく、この除去された状態は、少なくとも、ハイブリッド伝達情報分配器７０４が、特定の順方向リンクの品質又は帯域幅が許容レベルに戻ったという指示を受信するまで続いてもよい。
【０１１５】
一実施形態において、続いて起こる順方向リンクは、加えて又は代わりに、続いて起こる順方向伝送に含まれるコンテンツのタイプに基づいて、選択されてもよい。例えば、第１順方向伝送は、装置７１８へ送達されるべきテキストメッセージを含んでもよく、これに対して、続いて起こる順方向伝送は、乗物７０２ｘに搭載される別の装置へ送達されるべきストリーミング・メディア・コンテンツを含んでもよい。この例では、ハイブリッド伝達情報分配器７０４は、テキストメッセージを送達するために、ＡＴＧ順方向リンク７０８ａを選択してもよく（例えば、もしＡＴＧ順方向リンク７０８ａが現在、比較的小さなテキストメッセージをサポートするのに、十分に余分な帯域幅を有する場合）、且つハイブリッド伝達情報分配器７０４は、ストリーミング・メディア・コンテンツを送達するために、衛星順方向リンク７０８ｂを選択してもよい。その理由は、衛星順方向リンク７０８ｂは、ＡＴＧ順方向リンク７０８ａよりも大きな帯域幅又は速度を有する、ブロードバンド接続リンクである可能性があるからである。このことは、比較的大きなメディアコンテンツをより良くサポートすることができる。例えば、衛星順方向リンク７０８ｂの帯域幅又は速度は、ＡＴＧ順方向リンク７０８ａのそれよりも２倍大きくてもよく、更には、３倍大きい、４倍大きい、５倍大きい、６倍大きい、７倍大きい、又は７よりも大きな倍数だけ大きくてもよい。幾つかの場合において、ハイブリッド伝達情報分配器７０４は、続いて起こる順方向伝送の特定のコンテンツに対して許容することができる待機時間に基づいて、順方向リンクを選択してもよい。例えば、ビデオのような非実時間性（非リアルタイム性）メディアストリームは、受信側装置へ後で送達するために、又は遅れて送達するために、バッファに入れてもよい。
【０１１６】
ブロック８１２では、続いて起こる順方向伝送が、選択された順方向リンクを使用して、乗物７０２ｘへ送信されることが引き起こされる。例えば、続いて起こる順方向伝送が、ブロック８０５に関して以前に議論されたような方法で、乗物７０２ｘへ送信されることが引き起こされてもよい。
【０１１７】
方法８００の任意の部分又は全ては、乗物７０２ｘが任意の状態にある間に実行されてもよい。その任意の状態とは、乗物７０２ｘの動的運動を示す任意の状態、又は乗物７０２ｘが途中にある、又は始発地と目的地の間にあることを示す任意の状態である。例えば、乗物７０２ｘは航空機であってよく、且つ方法８００の少なくとも一部分が、乗物７０２ｘが次の状態にある間に実行されてもよい。その状態とは、乗物７０２ｘが、複数の飛行状態の任意の１つにある状態であり、例えば、飛行中、上昇中、下降中、車輪荷重（ウェイト・オン・ホイール）状態、又は複数の可能なポート状態の任意の１つである。
【０１１８】
「ポート状態」に関して、一般には、本明細書で使用されるように、「ポート」は、乗物がその場所から出発する、及びその場所に乗物が到着する、指定された場所であってもよい。ポートの例として、空港、積荷港、鉄道駅、病院、積荷ターミナル、バスターミナル、給油ステーション、乗物メンテナンス又はサービスエリア、軍事基地、航空母艦などを含んでもよい。そのため、乗物の「ポート状態」は、本明細書で使用されるように、一般に乗物が乗物ポートの付近にある（又は最も近くにある）ことを示す乗物の状態を指し、例えば、乗物が離陸している、着陸している、地上移動している、駐車している、ドックに入っている、入港している、積み荷場にいる、などの状態である。ポート状態は、乗物が静止していること、又は静止していないことを示してもよい。ポート状態は、例えば、乗物がポートのある一定の距離内にあることを決定することによって決定してもよく、この決定は、例えば、乗物の地理空間的位置（例えば、全地球測位システム又はＧＰＳによって決定されるような）を使用することによって、及び／又はポートのトランシーバによって送信されるビーコン信号の存在及び／又は信号強度を検出することによって行われる。もちろん、航空機でない乗物であってもポート状態にあることが可能である。それは、例えば、ボートが港内にある、又はポートでドックに入っている時、トラックがガソリンステーション又は秤量所にある時、又は乗物がポート間の途中を移動していない任意の時である。
【０１１９】
一実施形態において、方法８００の全体は、乗物７０２ｘがポート状態にある間に実行される。一実施形態において、方法８００の全体は、乗物７０２ｘが、動的運動状態にある間に（例えば、飛行中に、航海中に、又はハイウェイに沿って移動中に）実行される。一実施形態において、方法８００の全体は、乗物７０２ｘが静止状態にある間に（例えば、ゲートで駐車している間に、休憩所で停止している間に、又は誘導滑走路で停止している間に）、実行される。
【０１２０】
図９は、乗物によって輸送されている装置へ、及び乗物によって輸送されている装置から、伝達情報を提供するための方法８２０の例を示す。一実施形態において、方法８２０は、図７のハイブリッド通信システム７００によって、少なくとも部分的に実施される。しかし、方法８２０のある部分又は全ては、システム７００以外の通信システムによって実行されてもよい。一実施形態において、方法８２０の少なくとも一部分は、搭載ノード７２０に含まれるハイブリッド伝達情報収集器７２２によって実施される。一実施形態において、方法８２０は、図８の方法８００の少なくとも一部分と関連して、動作してもよい。議論を簡単にするために、方法８２０は、図７のシステム７００及び図８の方法８００を同時に参照しながら、以下で説明される。しかしながら、この説明は、多くの実施形態の中の単なる１つであり、且つ非限定的であると理解されたい。
【０１２１】
以前に議論したように、乗物で受信された伝達情報に含まれる情報又はデータの受信側装置は、任意の搭載通信ネットワークと通信可能に接続される任意の装置であってもよく、次に、該任意の搭載通信ネットワークが、搭載ノードと通信可能に接続され、この搭載ノードを介して、伝達情報が乗物上で受信される。限定目的ではないが、単に議論を簡単にするためだけの目的で、方法８２０は、１つのシナリオ例の文脈において以下で説明され、そのシナリオでは、装置７１８は、特定の乗物７０２ｘによって輸送されている携帯型コンピューティング装置である。
【０１２２】
ブロック８２２では、乗物７０２ｘに搭載された携帯型装置７１８へ送達されるべきコンテンツを含む順方向送信が、乗物７０２ｘで受信される。例えば、搭載ノード７２０のハイブリッド伝達情報収集器７２２は、装置７１８へ送達されるべきコンテンツを含む順方向伝送を受信してもよい。一実施形態において、コンテンツは装置７１８へのみ送達されるべきであり、且つ乗物７０２ｘに搭載された他の任意の装置へは送達されない。コンテンツは、以前に議論したような、装置７１８のユーザインターフェースで提示されるべきデータ、装置７１８によって格納される又は実行されるべきデータ、又は、装置７１８によって又は装置７１８のユーザによって利用されるべき他の任意のデータを含んでもよい。
【０１２３】
順方向伝送は、乗物７０２ｘに対する複数の順方向リンクの１つ、及び乗物７０２ｘに固定的に接続されるそれぞれのモデムを通して、受信されてもよい（ブロック８２２）。順方向伝送が受信される順方向リンクは、第１の割り当てられた周波数帯域、例えば、衛星通信帯域の順方向リンク７０８ｂによってサポートされてもよい。
【０１２４】
一実施形態において、順方向伝送は、乗物７０２ｘで、マルチキャスト伝送として受信されてもよい（ブロック８２２）。マルチキャスト伝送は、装置７１８へ送達されるべきコンテンツ及び、目標装置７１８又は受信側装置７１８の指示又は識別子を含んでもよい。一実施形態において、目標装置７１８のコンテンツ及び指示は、マルチキャスト伝送において、他のコンテンツと共に多重化されてもよく、ここで他のコンテンツとは、目標装置７１８に対して、又は乗物７０２のいずれかに搭載された他の目標装置に対して、送達されることが意図されるものである。特定の乗物７０２ｘでは、ハイブリッド伝達情報収集器７２２は、コンテンツの目標装置７１８のコンテンツ及び指示を回復してもよく、この回復は、マルチキャスト伝送を多重分離した後、又は順方向伝送から望ましい情報を引き出すための、他の幾つかの適切な技術を使用した後に行われる。
【０１２５】
順方向伝送に含まれる、装置７１８の指示に基づいて、ハイブリッド伝達情報収集器７２２は、コンテンツが送達されるべき装置７１８が、現在、乗物７０２ｘに搭載されているか否かを決定してもよい。もしコンテンツが送達されるべき装置が、乗物７０２ｘに搭載されていないと決定される場合、受信された順方向伝送に関する更なる処理は、実施されなくてもよい。もしコンテンツが送達されるべき装置が、乗物７０２ｘに搭載されていると決定される場合（例えば、装置７１８）、方法８２０は、受信された伝送のコンテンツが、乗物７０２ｘ内に収容された１つ以上の通信ネットワークを介して、受信側装置又は目標装置７１８に送信されることを引き起こすステップを含んでもよい（ブロック８２５）。例えば、もし装置７１８が、乗物７０２ｘに搭載されたＷｉ−Ｆｉネットワークに接続された携帯型コンピューティング装置である場合、ハイブリッド伝達情報収集器７２２は、ＩＥＥＥ８０２．１１互換の伝送にコンテンツを含んでもよく、且つハイブリッド伝達情報収集器７２２は、その伝送が、搭載Ｗｉ−Ｆｉネットワークを通して、装置７１８へ送達されることを引き起こしてもよい。しかし、これに加えて又はこの代わりとして、Ｗｉ−Ｆｉ以外の搭載データ送達の他の例も可能である。実際、方法８２０は、乗物７０２ｘ内で、受信されたコンテンツを搭載装置へ送達する任意の手段及び／又は技術を使用してもよく、例えば、それらは、前述した同時係属の米国特許出願第１３／６７５，２００号で説明された手段及び／又は技術のいずれかのようなものである。
【０１２６】
ブロック８２８では、フィードバック情報が、乗物７０２ｘから送信されることが引き起こされてもよい。一実施形態において、フィードバック情報は、乗物７０２ｘから送信されてもよいが、この送信は、順方向伝送が受信される順方向リンク（ブロック８２２）をサポートする周波数帯域よりも、異なって割り当てられた周波数帯域によってサポートされる逆方向リンクを用いることによって行われる。例えば、もし順方向リンク（ブロック８２２）が衛星通信リンクの順方向リンク７０８ｂである場合、フィードバック情報が送信される逆方向リンク（ブロック８２８）は、ＡＴＧ逆方向リンク７１０ａ又はＷｉ−Ｆｉ逆方向リンク７１０ｃであってもよい。一実施形態において、フィードバック情報は、逆方向リンクを通して送信されるユニキャスト伝送に含まれる。例えば、ハイブリッド伝達情報収集器７２２は、ユニキャスト伝送が、選択された戻りリンク７１０を介して、乗物７０２ｘから送信されることを引き起こしてもよい。
【０１２７】
図８に関して以前に述べたように、フィードバック情報は、受信された順方向伝送（ブロック８２２）又は他の受信された順方向伝送に対応する情報又はデータ、順方向伝送（ブロック８２２）が乗物７０２ｘへ送達された順方向リンクに対応する情報又はデータ、他の順方向リンクに対応する情報又はデータ、及び／又は、１つ以上の逆方向リンクに対応する情報又はデータを含んでもよい。例えば、フィードバック情報は、順方向リンクを通して乗物７０２ｘで受信された順方向伝送（ブロック８２２）に対応する逆方向信号伝達情報を含んでもよく、例えば、フィードバック情報は、順方向伝送の受信通知、又は期待されるコンテンツが順方向伝送において受信されなかったという通知を含んでもよい。そのため、この例では、乗物７０２ｘは、１つの周波数帯域の順方向リンクを、順方向データリンク又は正味荷重送達リンクとして利用してもよく、且つ別の周波数帯域の逆方向リンクを、順方向データリンク又は正味荷重送達リンクに対応する信号伝達リンクとして利用してもよい。
【０１２８】
一実施形態において、乗物７０２ｘは、順方向リンク（例えば、ブロック８２２の順方向リンク）を一方向性通信リンクとして利用してもよい。例えば、乗物７０２ｘは、順方向リンクを含む通信リンクに接続されるトランシーバ又はモデムが、受信専用モードで動作することを引き起こしてもよい。乗物７０２ｘは、第２通信リンクを、一方向性順方向リンクに対応する逆方向リンクとして利用してもよい（例えば、ブロック８２８の逆方向リンク）。乗物７０２ｘは、第２通信リンクを、一方向性リンクとして利用してもよく（例えば、第２通信リンクに接続されたトランシーバ又はモデムを送信専用モードで配置することによって）、又は乗物７０２ｘは、第２通信リンクを、双方向性リンクとして利用してもよい（例えば、第２通信リンクに接続されたトランシーバ又はモデムが、受信モード及び送信モードの両方で使用されることを可能にすることによって）。
【０１２９】
尚、乗物７０２ｘは、本明細書で説明されるハイブリッド通信技術、例えば、異なる通信周波数帯域の順方向リンク及び逆方向リンクを使用して、伝達情報が、乗物に搭載された装置へ、及び乗物に搭載された装置から送達される技術を実現するために、数多くの、異なる構成及び異なる数の第１通信リンク及び第２通信リンクを利用してもよい。例えば、本明細書で説明される技術の少なくとも幾つかは実現されるが、この実現は、１つ以上の完全な二重（例えば、双方向性の）通信リンクを論理的順方向リンクとして使用することによって、及び、論理的順方向リンクの周波数帯域とは異なる１つ以上の周波数帯域によってサポートされる１つ以上の他の完全な二重通信リンクを、対応する論理的逆方向リンクとして使用することによってなされる。別の例において、本明細書で説明される技術の少なくとも幾つかは実現されるが、この実現は、１つ以上の一方向性通信リンクを論理的順方向リンクとして使用することによって、及び、論理的順方向リンクの周波数帯域とは異なる１つ以上の周波数帯域によってサポートされる１つ以上の他の一方向性通信リンクを、対応する論理的逆方向リンクとして使用することによってなされる。更に別の例において、１つ以上の完全な二重通信リンクが、論理的順方向リンクとして使用されてもよく、且つ論理的順方向リンクの周波数帯域とは異なる１つ以上の周波数帯域によってサポートされる１つ以上の一方向性通信リンクが、対応する論理的逆方向リンクとして使用されてもよい。なお更に別の例において、１つ以上の一方向性通信リンクが、論理的順方向リンクとして使用されてもよく、且つ論理的な順方向リンクの周波数帯域とは異なる１つ以上の周波数帯域によってサポートされる１つ以上の完全な二重通信リンクが、対応する論理的逆方向リンクとして使用されてもよい。
【０１３０】
ブロック８３０では、続いて起こる順方向伝送は、乗物７０２ｘで受信されてもよい。続いて起こる順方向伝送は、装置７１８へ送達されるべき付加的コンテンツを含んでもよく、又は、続いて起こる順方向伝送は、乗物７０２ｘに搭載された他の装置、又は他の乗物７０２に搭載された他の装置へ送達されるべきコンテンツを含んでもよい。続いて起こる順方向伝送は、乗物７０２ｘに対する複数の順方向リンクの１つを通して受信されてもよく、且つ続いて起こる順方向伝送が受信される順方向リンクは、乗物７０２ｘから以前に送信された（ブロック８２８）フィードバック情報に基づいて選択された可能性があり、及び／又は付加的なコンテンツのタイプに基づいて選択された可能性がある。そのため、ブロック８３０の順方向リンクは、ブロック８２２の同じ順方向リンクであってもよく、又は異なる順方向リンクであってもよい。
【０１３１】
ハイブリッド伝達情報収集器７２２は、続いて起こる順方向伝送のコンテンツが送達されるべき装置が、現在、乗物７０２ｘに搭載されているか否かを決定してもよく、この決定は、例えば、ブロック８２５に関して上で議論されたのと同様な方法で行ってもよい。もしコンテンツが送達されるべき装置が、乗物７０２ｘに搭載されていないと決定される場合、続いて起こる伝送に関する更なる処理は、実施されなくてもよい。もしコンテンツが送達されるべき装置が、乗物７０２ｘに搭載されている場合（例えば装置７１８）、方法８２０は、受信された、続いて起こる伝送のコンテンツが、乗物７０２ｘ内に収容された１つ以上の通信ネットワークを介して、受信側装置又は目標装置７１８へ送信されることを引き起こすステップを含んでもよく（ブロック８３２）、このことは、例えば、ブロック８２５に関して上で議論されたのと同様な方法で行ってもよい。
【０１３２】
一実施形態において、ブロック８３２の後に、方法８２０は、続いて起こるフィードバック情報が、乗物７０２ｘから、送信されることを引き起こすステップを含んでもよい（図示せず）。続いて起こるフィードバック情報は、続いて起こる順方向伝送、順方向リンク（この順方向リンクを通して、続いて起こった順方向伝送は乗物７０２ｘへ送達された）、他の順方向リンク、及び／又は１つ以上の逆方向リンクに対応するデータ又は情報を含んでもよい。例えば、ハイブリッド伝達情報収集器７２２は、続いて起こるフィードバック情報が、乗物７０２ｘから送信されることを引き起こしてもよいが、この送信は、ブロック８２８に関して議論されたのと同様な方法で、ハイブリッド伝達情報分配器７０４へ送達するための、選択された逆方向リンクを使用することによって行われる。ハイブリッド伝達情報分配器７０４は、一実施形態において、その後、次の順方向リンクを選択するために、続いて起こるフィードバック情報を利用してもよい。
【０１３３】
方法８００と同様に、方法８２０の任意の部分又は全ては、乗物７０２ｘが任意の状態にある間に実行されてもよく、その任意の状態とは、飛行状態又は、乗物７０２ｘがポート間で移動していることを示す状態のような、乗物７０２ｘの動的運動を示す状態である。方法８２０の任意の部分又は全ては、乗物７０２ｘが任意のポート状態にある間に実行されてもよい。方法８２０の任意の部分又は全ては、乗物７０２ｘが静止状態にある間に（例えば、ゲートで駐車している間に、ポートでドックに入っている間に、又は誘導滑走路で停止している間に）、実行されてもよい。
【０１３４】
データ通信トンネル（１０００）の例のブロック図が図１０に提供されるが、データ通信トンネル（１０００）は、ハイブリッド通信システム（７００）において、又は別のハイブリッド通信システムにおいて確立されてもよい。本明細書で使用されるように、「データ通信トンネル」、「データトンネル」、及び「トンネル」という用語は、カプセル化された伝送経路又は論理的接続を指すために、交換可能に使用されるが、ここでカプセル化された伝送経路又は論理的接続は、乗物（７０２ｘ）の外部にあるノード又はデータセンタ（１００２）と、乗物（７０２ｘ）に搭載されたノード（１００４）との間での経路又は接続である。幾つかの場合において、データ通信トンネル（１０００）は、乗物（７０２ｘ）の外部にある第１端点を有する、カプセル化された伝送経路又は論理的接続であってもよい。例えば、データトンネルの第１端点は、データセンタ（１００２）であってもよく、又はデータセンタ（１００２）におけるハイブリッド伝達情報分配器（１００６）であってもよい。一実施形態において、ハイブリッド伝達情報分配器（１００６）は、図７のハイブリッド伝達情報分配器（７０４）であってもよい。
【０１３５】
データ通信トンネル（１０００）は、乗物（７０２ｘ）に搭載して配置される第２端点を有してもよい。例えば、データトンネル（１０００）の第２端点は、搭載ノード（１００４）であってもよく、又は搭載ノード（７２０）上で実行されるハイブリッド伝達情報収集器（７２２）のような、搭載ノード（１００４）で実行されるアプリケーション（１００８）であってもよい。幾つかの場合において、データトンネル（１０００）の第２端点は、受信側装置（７１８）であってもよく、又は、受信側装置（７１８）上で実行されるＶＴＡ又は他のアプリケーションであってもよい。
【０１３６】
データトンネル（１０００）は、一実施形態において、２つの端点の間でトンネリング・プロトコルを利用することによって、実現されてもよい。トンネリング・プロトコルのパケット又は伝送は、トンネル（１０００）をサポートする通信リンクによって使用される他のプロトコルの、パケット又は伝送の中で、カプセル化されてもよい。例として、図７及び図１０を同時に参照すると、ハイブリッド伝達情報分配器（７０４）と、乗物（７０２ｘ）に搭載された装置（７１８）との間のデータトンネル例は、データトンネル・プロトコルを使用するデータトンネル順方向リンク（１０１０）を含んでもよい。データトンネル・プロトコルの順方向パケットは、データトンネル順方向リンク（１０１０）をサポートする様々な順方向リンクによって使用される、それぞれのプロトコルの各々によってカプセル化されてもよく、ここでそれぞれのプロトコルとは、例えば、乗物データ送達ネットワーク（７０６）、選択された順方向リンク（７０８）、及び乗物（７０２ｘ）のキャビン内のＷｉ−Ｆｉ順方向リンクによって使用される、それぞれのプロトコルである。同様に、ハイブリッド伝達情報分配器（７０４）と装置（７１８）との間のデータトンネル逆方向リンク（１０１２）は、乗物（７０２ｘ）のキャビン内のＷｉ−Ｆｉ逆方向リンク、選択された逆方向リンク（７１０）、及び乗物データ送達ネットワーク（７０６）によってサポートされてもよく、例えば、これらの様々にサポートする逆方向リンク上で利用されるそれぞれのプロトコルは、各々が、逆方向におけるデータトンネル・プロトコル・パケットをカプセル化する。
【０１３７】
データトンネル（１０００）がハイブリッド通信システム（７００）に含まれる実施形態においては、データトンネル順方向リンク（１０１０）は、プロトコル及び／又は周波数帯域において、データトンネル逆方向リンク（１０１２）をサポートする１つ以上の通信リンクと異なる、１つ以上の通信リンクによってサポートされてもよい。更に、データトンネル順方向リンク（１０１０）及びデータトンネル逆方向リンク（１０１２）は、それらのそれぞれがサポートするメッセージ送達方式において異なってもよく（例えば、マルチキャスト又はユニキャスト）、及び／又は、使用される、サポートする通信リンクの数において異なってもよい（例えば、データトンネル順方向リンク（１０１０）における、複数のサポートする通信リンク、及びデータトンネル逆方向リンク（１０１２）における、サポートする１つの通信リンク）。にもかかわらず、一実施形態において、データセンタ（１００２）と搭載ノード（１００４）との間のデータトンネル（１０００）は、幾つかの場合には、１つの論理的なデータトンネル順方向リンク（１０１０）又は、データの順方向ストリーム、及び、１つの論理的なデータトンネル逆方向リンク（１０１２）又は、データの逆方向ストリームを有するものとして、論理的に表される（例えば、ソフトウェアアプリケーションにおいて）。
【０１３８】
順方向データ（１０１４）、又はデータトンネル順方向リンク（１０１０）上で、搭載ノード（１００４）へ送信されるデータは、例えば、以下のものを含んでもよい。（ｉ）搭載ノード（１００４）と通信可能に接続される、１つ以上の搭載受信側装置へ送達するためのコンテンツ（１０１８）。ここで、コンテンツ（１０１８）は、テキストメッセージ、ウェブページ、メディアコンテンツ、ストリーミングデータ、搭載装置のユーザインターフェースで受信される以前の要求に対する応答、搭載装置のユーザインターフェースで提示されるべきデータ、アプリケーション、構成、搭載装置のユーザがダウンロードすることを要求した他のソフトウェア、のような任意のタイプのデータを含んでもよい。（ｉｉ）コンテンツ（１０１８）に対応する、及びデータトンネル（１０００）を通したコンテンツ（１０１８）の送達に対応する信号伝達情報（１０１６）。（ｉｉｉ）搭載受信側装置、又はコンテンツ（１０１８）が送達されるべき装置を識別する装置情報（１０２０ａ）。及び／又は、（ｉｖ）データトンネル（１０００）自体の使用に対応する他の順方向信号伝達情報（１０１６）（例えば、利用可能性、伝送の品質、帯域幅管理など）。
【０１３９】
逆方向データ（１０２２）又は、データトンネル逆方向リンク（１０１２）上でデータセンタ（１００２）へ送信されるデータは、例えば、以下のものを含んでもよい。（ｉ）送達されたコンテンツ（１０１８）に対応する、及び／又はデータトンネル（１０００）の使用（例えば、利用可能性、伝送の品質、帯域幅管理など）に対応するフィードバック情報（１０２４）。（ｉｉ）搭載装置からのコンテンツ要求（１０２６）。ここで、コンテンツ要求（１０２６）は、搭載装置のユーザによって、又は搭載装置自体によって生成される。及び／又は、（ｉｉｉ）コンテンツ要求（１０２６）を生成する搭載装置を識別する装置情報（１０２０ｂ）。
【０１４０】
順方向データ（１０１４）及び逆方向データ（１０２２）の幾つかの特定の例が上で議論されているが、データトンネル順方向リンク（１０１０）及びデータトンネル逆方向リンク（１０１２）が、トンネル（１０００）の端点間で、任意の望ましいタイプのデータを搬送してもよいことを理解されたい。加えて、明瞭なことであるが、順方向データ（１０１４）は、例えば、効率及び適時性（タイムライン）のために、任意の数のデータ構造、パケット、又はメッセージに、分離され、統合され、多重化され、又は結合されてもよい。同様に、逆方向データ（１０２２）は、前記に加えて又は前記の代わりに、任意の数のデータ構造、パケット、又はメッセージに、分離され、統合され、多重化され、又は結合されてもよい。更に、一実施形態において、複数のデータトンネルが、２つの端点間で確立されてもよい。例えば、データセンタ（１００２）又は、これに含まれるハイブリッド伝達情報分配器（１００６）は、特定の乗物（７０２ｘ）上のノード（１００４）と共に、複数のデータ通信トンネルを確立してもよく、及び／又は複数の乗物（７０２）上の複数のノードと共に、複数のデータ通信トンネルを確立してもよい。
【０１４１】
図１１は、分散された方法又はハイブリッドな方法で、コンテンツを乗物に搭載された装置へ送達するための方法（８８０）の例を示す。一実施形態において、方法（８８０）は、図７のハイブリッド通信システム（７００）によって、少なくとも部分的に実施されるが、しかし、方法（８８０）のある部分又は全ては、システム（７００）以外の通信システムによって実施されてもよい。一実施形態において、方法（８８０）の少なくとも一部分は、データセンタ（７０５）によって、又はデータセンタ（７０５）に含まれるハイブリッド伝達情報分配器（７０４）によって実施される。一実施形態において、方法（８８０）は、図８〜図９で説明された方法の１つ以上の少なくとも一部分と関連して、及び／又は図１０のデータトンネル（１０００）と関連して、動作してもよい。議論を簡単にするために、方法（８８０）は、図７〜図１０を同時に参照しながら以下で説明される。しかしながら、この説明は多くの実施形態の中の単なる１つであり、且つ非限定的であると理解されたい。加えて、限定目的ではないが、単に議論を簡単にするためだけの目的で、方法（８８０）は、１つのシナリオ例の文脈において以下で説明され、そのシナリオでは、データは、複数の乗物（７０２）の特定の乗物（７０２ｘ）に搭載されている装置（７１８）へ送達されることになっている。
【０１４２】
ブロック（８８２）では、乗物（７０２ｘ）によって輸送されている装置（７１８）へ送達されるべきコンテンツが、取得されてもよい。例えば、装置（７１８）へ送達されるべきコンテンツは、データセンタ（７０５）によって、又はデータセンタ（７０５）のハイブリッド伝達情報分配器（７０４）によって取得されてもよいが、これは、例えば、外部ネットワーク（７３２）、乗物データ送達ネットワーク（７０６）、又は他の適切なソースから受信することによるか、又はデータセンタ（７０５）自体から、又は他の幾つかのデータ格納実体から、コンテンツを取得することによってもよい。コンテンツが送達されるべき装置（７１８）は、図７〜図１０に関して以前に議論された任意の装置であってもよく、この任意の装置は、例えば、乗物（７０２ｘ）によって一時的に輸送されている携帯型コンピューティング装置、又は乗物（７０２ｘ）に固定的に接続されるコンピューティング装置であってもよい。同様に、装置（７１８）へ送達されるべきコンテンツは、図７〜図１０に関して以前に議論された任意のタイプのコンテンツであってもよく、この任意のタイプのコンテンツは、例えば、ウェブページ、ストリーミングデータ、テキストメッセージ、以前の要求に対する応答などである。しかし、方法（８８０）に関して、装置（７１８）へ送達されるべきコンテンツは、全体として、装置（７１８）へ送達されるべきであり、このコンテンツは、例えば、ウェブページ全体、ストリーミング・ビデオ又はムービーなどである。一実施形態において、取得されたコンテンツは、装置（７１８）のユーザインターフェースで、全体として提示されるために、全体として装置（７１８）へ送達されるべきである。
【０１４３】
ブロック（８８５）では、取得されたデータの第１部分は、第１伝送に含まれてもよく、且つ第１伝送が、第１順方向リンクを介して、乗物（７０２ｘ）へ送信されることが引き起こされてもよい。ブロック（８８８）では、取得されたデータの第２部分は、第２伝送に含まれてもよく、且つ第２伝送が、第２順方向リンクを介して、乗物（７０２ｘ）へ送信されることが引き起こされてもよい。第１順方向リンク及び第２順方向リンクは、各々が異なる周波数帯域上の異なる通信リンクによってサポートされてもよく、従って、第１伝送及び第２伝送は、各々が異なるプロトコルを使用して、形式設定されてもよい。例えば、取得されたデータの第１部分が、衛星順方向リンク（７０８ｂ）を通して、乗物（７０２ｘ）へ送信されることが引き起こされてもよく、且つ取得されたデータの第２部分が、ＡＴＧ順方向リンク（７０８ａ）を通して、乗物（７０２ｘ）へ送信されることが引き起こされてもよい。一実施形態において、第１順方向リンクの帯域幅又は速度は、第２順方向リンクのそれの２倍大きくてもよく、更には、３倍大きい、４倍大きい、５倍大きい、６倍大きい、７倍大きい、又は７よりも大きな倍数だけ大きくてもよい。
【０１４４】
方法（８８０）の幾つかの実施形態において、取得されたデータの第１部分のコンテンツの少なくとも１つ、又は取得されたデータの第２部分のコンテンツの少なくとも１つが、選択されてもよい。一実施形態において、第１部分又は第２部分のコンテンツは、コンテンツタイプに基づいて、選択されてもよい。例えば、もし取得されたコンテンツが、最適なユーザ経験のために、目標装置（７１８）の画面で表示されるべきウェブページである場合、ユーザは、ウェブページのローディングに関して何らかの進捗を見ることを望む。それ故に、ウェブページの重要な要素（例えば、ＣＳＳ、ＨＴＭＬ、Ｊａｖａ（登録商標）  ｓｃｒｉｐｔ、及び他の構造的要素）が、より速い順方向リンク（例えば、ＡＴＧ順方向リンク（７０８ａ））によって、乗物（７０２ｘ）へ送達されるべく選択されてもよく、その結果、これらの重要な要素は、ウェブページの枠組みを確立することを開始し、且つ何らかの進捗が起こっていることをユーザに示すために、装置（７１８）で可能な限り早く受信されてもよい。他方で、ウェブページの、より大きなサイズの要素（例えば、画像、ビデオ、フラッシュなど）は、重要な要素の後で、ユーザ装置に到着してもよく、且つ既に確立されたウェブページ枠組みの中に挿入されてもよい。これらのより大きな要素は、ユーザ経験に対して時間的に重要なものではないが、にもかかわらず、それらのサイズ及び密度のために、高い帯域幅を要求し、且つ、そのため、これらのより大きな要素は、高帯域幅の順方向リンク（例えば、衛星順方向リンク（７０８ｂ））によって、乗物（７０２ｘ）へ送達されるべく選択されてもよい。
【０１４５】
一般に、取得されるコンテンツで、より時間に敏感な部分（例えば、低い往復遅延時間を要求する部分）は、（他の利用可能な順方向リンク（７０８）と比較して）より速い順方向リンクを通して送達されるべく選択されてもよい。また、取得されるコンテンツで、より高い密度の部分又はよりサイズの大きな部分は、（他の利用可能な順方向リンク（７０８）と比較して）より高い容量の順方向リンクを通して送達されるべく選択されてもよい。そして、より大きな度合いの精確さを要求する、取得されるコンテンツの部分は、（他の利用可能な順方向リンク（７０８）と比較して）より頑健な順方向リンクを通して送達されるべく選択されてもよい。ある状況において、特定のコンテンツタイプが、送達のための、１つの特定のタイプの順方向リンクに独占的に割り当てられてもよく、且つ、もし主要な順方向リンクが利用できない場合、特定のコンテンツタイプが、バックアップタイプの順方向リンクに、任意で割り当てられてもよい。ある状況において、特定のコンテンツタイプは、任意で選択の優先順位をつけて、複数のタイプの順方向リンクに割り当てられてもよく、例えば、最も優先度の高い、利用可能な順方向リンクが、ある一定のコンテンツタイプの送達に対して選択される。
【０１４６】
更に別の例において、与えられた順方向リンクの中で、ある一定のタイプのデータは、他のタイプのデータより上位の優先度を与えられてもよい。例えば、衛星順方向リンクでおいて、ＡＴＧ順方向リンクからのオーバーフロー・データは、衛星順方向リンクに元々対応付けられているデータよりも高い優先度を与えられてもよく、その理由は、オーバーフローＡＴＧトラフィックは、一般に、衛星トラフィックに比べて、時間的影響がより大きい可能性があるからである。
【０１４７】
方法（８８０）の幾つかの実施形態において、特定の順方向リンクは、更に他の基準（１つ以上の順方向リンクの動的特性又は状態、又は全体としての、取得されたコンテンツの特性などに）に基づいて、特定のタイプのコンテンツデータに対して選択されてもよい。例えば、取得されるコンテンツがストリーミング・ビデオである場合、ストリーミング・メディア符号化された画像フレーム（例えば、Ｉフレーム）は、ＡＴＧ順方向リンク（７０８ａ）を通して送達されるべく、割り当てられる、又は選択されるが、その一方で、対応するストリーミング・メディア予測フレーム（例えば、Ｐフレーム、Ｂフレーム）は、Ｋa衛星周波数帯域を通して送達されるべく、割り当てられる、又は選択される。しかしながら、Ｋa帯域内の任意の特定のストリームに対して割り当てられる帯域は、ある一定のレベルに上限が定められてもよい。もしストリーミング・メディア・コンテンツがＫa帯域内の上限に達する場合、ストリームの、続いて起こる予測フレームは、別の順方向リンク（例えば、Ｌ衛星周波数帯域）を介して、送達されてもよい。別の例において、特定のタイプのコンテンツデータは、ＡＴＧ順方向リンク（７０８ａ）を通して送達されるべく、割り当てられる、又は選択される。そして、ＡＴＧ順方向リンクが予め定義された容量にある場合、特定のタイプのコンテンツデータのオーバーフローは、衛星順方向リンク（７０８ｂ）を通して送達されるべく、割り当てられる、又は選択される。別の例において、ある一定サイズよりも大きな任意のデータストリームは、全ての利用可能な衛星順方向リンクを通して分散的に送達されるべく、自動的に対応付けられてもよい。
【０１４８】
一実施形態において、特定の順方向リンクの選択は、乗物（７０２ｘ）から受信されたフィードバックデータ又は情報に、少なくとも部分的に、基づいてもよい。フィードバック情報又はデータは、図８〜図１０に関して以前に説明したように、１つ以上の順方向リンクの現在の品質、容量、又は利用可能性を指し示してもよい。一実施形態において、データセンタ（７０５）又はハイブリッド伝達情報分配器（７０４）は、逆方向リンクを介して、フィードバックデータ又は情報を受信してもよく、且つ受信されたフィードバック情報又はデータに少なくとも部分的に基づいて、取得されたコンテンツの特定の部分の伝送のために、続いて起こる順方向リンクを選択してもよい。
【０１４９】
従って、例によって示されるように、コンテンツデータの部分は、多くのレベルの細分性及び区別基準に基づいて、様々な順方向リンクに対応付けられてもよい。例えば、以前に示されたように、コンテンツデータの異なる部分を、異なる順方向リンクに対応付けることは、コンテンツタイプに基づいてもよい。対応付けは、前記に加えて又は前記の代わりに、取得されたコンテンツが送達されるべきアプリケーションのタイプに基づいてもよく、及び／又は取得されたコンテンツが含まれるストリームサイズに基づいてもよい。更に、前記に加えて又は前記に代わりに、取得されたコンテンツの部分を様々な順方向リンクに対応付けることは、例えば、ソケットタイプ又はソケットの利用可能性、受信側装置のユーザによって支払われた、又は、そうでなければ、受信側装置のユーザに割り当てられたサービスのレベル、様々な順方向リンクの品質及び／又は利用可能性、動的なリソース割り当てアルゴリズムなどに基づいてもよい。更に、前記に加えて又は前記の代わりに、取得されたコンテンツの部分を、様々な順方向リンクに対応付けることは、異なるレベルにおいて実施されてもよい。ここで異なるレベルとは、例えば、アプリケーションレベル、パケットレベル、ストリームレベル、地理的場所に基づくレベル、ユーザのアカウントの特性に基づくレベル、又はユーザによって獲得されたサービスのレベルである。
【０１５０】
一実施形態において、ある一定のコンテンツタイプを、ある一定の順方向リンクに対応付けることは、演繹（アプリオリ）的に決定され、且つ対応付けは、データセンタ（７０５）又はハイブリッド伝達情報分配器（７０４）にとってアクセス可能なファイル、又は他のデータ格納実体に格納される。幾つかの実施形態において、特定の順方向リンクは、演繹的対応付けに基づいて、特定のタイプのデータコンテンツに対して選択されてもよい。一実施形態において、コンテンツ部分と順方向リンクの対応付けは、構成可能であってもよい。
【０１５１】
更に方法（８８０）に関して、方法（８００）及び（８２０）の各々と同様、順方向リンク（７０８）のいずれかを通した順方向伝送のいずれかは、装置（７１８）へ送達されるべき、及び／又は乗物（７０２）上で輸送されている他の装置へ送達されるべき、多重化されたコンテンツ又はコンテンツの部分を含んでもよい。同様に、方法（８００）、（８２０）及び（８８０）の各々は、要望に応じて、任意の順方向リンク（７０８）を通して、任意の順方向伝送をマルチキャストしてもよい。
【０１５２】
図１２は、コンテンツを、乗物によって輸送されている装置へ、分散的に送達するための方法（１２００）の一例を示す。一実施形態において、方法（１２００）は、図７のハイブリッド通信システム（７００）によって、少なくとも部分的に実施されるが、しかし、方法（１２００）のある部分又は全ては、システム（７００）以外の通信システムによって実施されてもよい。一実施形態において、方法（１２００）の少なくとも一部分は、乗物（７０２ｘ）における搭載ノード（７２０）によって、搭載ノード（７２０）に含まれるハイブリッド伝達情報収集器（７２２）によって、受信側装置（７１８）によって、又はＶＴＡのような、受信側装置（７１８）上で実行されるアプリケーションによって、実行されてもよい。一実施形態において、方法（１２００）は、図２〜図５及び図７で説明される方法１つ以上の少なくとも一部分と関連して、及び／又は図６のデータトンネル（６００）と関連して、動作してもよい。議論を簡単にするために、方法（１２００）は、図７〜図１１を同時に参照しながら、以下で説明する。しかしながら、この説明は、多くの実施形態の中の単なる１つであり、且つ非限定的であると理解されたい。加えて、限定目的ではないが、単に議論を簡単にするためだけの目的で、方法（１２００）は、１つのシナリオ例の文脈において以下で説明され、そのシナリオでは、データは、複数の乗物（７０２）の特定の乗物（７０２ｘ）に搭載されている装置（７１８）へ送達されることになっている。
【０１５３】
ブロック（１２０２）では、受信されるべきコンテンツの第１部分を含む第１伝送は、全体として搭載装置（７１８）によって、乗物（７０２ｘ）で受信される。例えば、搭載ノード（７２０）、ハイブリッド伝達情報収集器（７２２）、装置（７１８）又は装置（７１８）上のアプリケーション（例えば、ＶＴＡ）は、コンテンツの第１部分を受信する。一実施形態において、全体として装置（７１８）によって受信されるべきコンテンツは、装置（７１８）のユーザインターフェースにおいて、全体として提示されるべきである。例えば、装置（７１８）のユーザインターフェースで、全体として提示されるべきであるコンテンツは、ウェブページ、ストリーミング・ビデオ、装置（７１８）のユーザからの要求に対する応答、又は図７〜図１１に関して以前に議論されたような、装置（７１８）へ送達されるべき他の任意のタイプのコンテンツであってもよい。コンテンツの第１部分は、第１無線周波数帯域によってサポートされる第１順方向リンク（例えば、順方向リンク（７０８）の１つ）に接続された第１モデムを介して、乗物（７０２ｘ）上で受信されてもよい。そして、コンテンツの第１部分は、コンテンツの第１が送達されるべき装置（７１８）の指示と関連して受信されてもよい。
【０１５４】
ブロック（１２０５）では、全体として搭載装置（７１８）によって、受信されるべきコンテンツの第２部分を含む第２伝送は、乗物（７０２ｘ）で受信される。例えば、搭載ノード（７２０）、ハイブリッド伝達情報収集器（７２２）、装置（７１８）又は装置（７１８）上のアプリケーション（例えば、ＶＴＡ）は、コンテンツの第２部分を受信する。コンテンツの第２部分は、第１無線周波数帯域とは異なる第２無線周波数帯域によってサポートされる第２順方向リンク（例えば、順方向リンク（７０８）のセットとは別の順方向リンク）に接続された第２モデムを介して、乗物（７０２ｘ）上で受信されてもよい。コンテンツの第２部分は、コンテンツの第２部分が送達されるべき装置（７１８）の指示と関連して受信されてもよい。
【０１５５】
一実施形態において、第１順方向リンク、第２順方向リンク、コンテンツの第１部分、及び／又はコンテンツの第２部分は、選択されていてもよい。例えば、第１順方向リンク、第２順方向リンク、コンテンツの第１部分及び／又はコンテンツの第２部分は、データセンタ（７０５）によって、又はハイブリッド伝達情報分配器（７０４）によって、選択されていてもよいが、この選択は、本明細書に関して以前に説明されたような、順方向リンク及び／又はコンテンツ部分の選択に対する基準に基づいて、又は他の基準に基づいてなされる。
【０１５６】
一実施形態において、第１順方向伝送に含まれる装置（７１８）の指示に基づいて、ハイブリッド伝達情報収集器（７２２）は、コンテンツの第１部分が送達されるべき装置（７１８）が、現在、乗物（７０２ｘ）に搭載されているか否かを決定してもよい。もしコンテンツの第１部分が送達されるべき装置が、乗物（７０２ｘ）に搭載されていないと決定される場合、第１順方向伝送に関する更なる処理は、乗物（７０２ｘ）において実施されなくてもよい。もしコンテンツの第１部分が送達されるべき装置が、乗物（７０２ｘ）に搭載されていると決定される場合（例えば、装置（７１８））、方法（１２００）は、第１の受信された伝送のコンテンツが、乗物（７０２ｘ）内に収容された１つ以上の通信ネットワークを介して、受信側装置又は目標装置（７１８）に送信されることを引き起こすステップを含んでもよい（ブロック（１２０８））。例えば、もし装置（７１８）が、乗物（７０２ｘ）に搭載されたＷｉ−Ｆｉネットワークに接続された携帯型コンピューティング装置である場合、ハイブリッド伝達情報収集器（７２２）は、コンテンツの第１部分を、ＩＥＥＥ８０２．１１互換の伝送に含んでもよく、且つ、ハイブリッド伝達情報収集器（７２２）は、伝送が、搭載Ｗｉ−Ｆｉネットワークを通して、装置（７１８）へ送達されることを引き起こしてもよい。しかし、前記に加えて又は前記の代わりに、Ｗｉ−Ｆｉ以外の搭載データ送達の他の例も可能である。実際に、方法（１２００）は、受信されたコンテンツを搭載装置へ送達する、任意の手段及び／又は技術を使用してもよく、それらは、前述した同時係属の米国特許出願第１３／６７５，２００号において説明された手段及び／又は技術のいずれかのようなものである。
【０１５７】
第２順方向伝送に関して、一実施形態において、第２順方向伝送に含まれる装置（７１８）の指示に基づいて、ハイブリッド伝達情報収集器（７２２）は、コンテンツの第２部分が送達されるべき装置（７１８）が、現在、乗物（７０２ｘ）に搭載されているか否かを決定してもよい。もしコンテンツの第２部分が送達されるべき装置が、乗物（７０２ｘ）に搭載されていないと決定する場合、第２順方向伝送に関する更なる処理は、乗物（７０２ｘ）において実行されなくてもよい。もしコンテンツの第２部分が送達されるべき装置が、乗物（７０２ｘ）に搭載されていると決定する場合（例えば、装置（７１８））、方法（１２００）は、第２の受信された伝送のコンテンツが、乗物（７０２ｘ）内に収容された１つ以上の通信ネットワークを介して、受信側装置又は目標装置（７１８）へ送信されることを引き起こすステップを含んでもよい（ブロック（１２１０））。例えば、もし装置（７１８）が、乗物（７０２ｘ）に搭載されたＷｉ−Ｆｉネットワークに接続された携帯型コンピューティング装置である場合、ハイブリッド伝達情報収集器（７２２）は、ＩＥＥＥ８０２．１１互換の伝送にコンテンツの第２部分を含んでもよく、且つ、ハイブリッド伝達情報収集器（７２２）は、その伝送が、搭載Ｗｉ−Ｆｉネットワークを通して、装置（７１８）へ送達されることを引き起こしてもよい。しかし、前記に加えて又は前記の代わりに、Ｗｉ−Ｆｉ以外の搭載されたデータ送達の他の例も可能である。実際に、方法（１２００）は、受信されたコンテンツを搭載装置へ送達する任意の手段及び／又は技術を使用してもよく、それらは、前述した同時係属の米国特許出願第１３／６７５，２００号において説明された手段及び／又は技術のいずれかのようなものである。
【０１５８】
一実施形態において、装置（７１８）が接続される、第１外部順方向リンク（７０８）及び搭載通信ネットワークの順方向リンク（例えば、搭載Ｗｉ−Ｆｉネットワーク又は他の適切なネットワーク）は、データセンタ（７０５）によって（又はデータセンタ（７０５）に含まれるハイブリッド伝達情報分配器（７０４）によって）確立された第１データ通信トンネルをサポートする。例えば、装置（７１８）に対する第１順方向リンク及び、搭載Ｗｉ−Ｆｉネットワークの順方向リンクは、図１０のデータトンネル順方向リンク（１０１０）と同様な第１データトンネル順方向リンクをサポートし、且つコンテンツの第１部分は、第１データトンネル順方向リンクを使用して、装置（７１８）へ送達される。
【０１５９】
一実施形態において、装置（７１８）が接続される、第２外部順方向リンク（７０８）及び搭載順方向リンク（例えば、搭載Ｗｉ−Ｆｉネットワーク又は他の適切なネットワーク）は、データセンタ（７０５）によって（又はデータセンタ（７０５）に含まれるハイブリッド伝達情報分配器（７０４）によって）確立された第２データ通信トンネルをサポートするが、このデータセンタ（７０５）は、第１データ通信トンネルとは異なり、且つこれから離れている。例えば、装置（７１８）に対する、第２外部順方向リンク（７０８）及び第２搭載順方向リンクは、第２データトンネル順方向リンク（１０１０）をサポートし、且つコンテンツの第２部分は、第２データトンネル順方向リンクを使用して、装置（７１８）へ送達される。この実施形態において、装置（７１８）又は装置（７１８）におけるアプリケーション（例えば、ＶＴＡ）は、第１部分及び第２部分を組み立て、装置（７１８）において全体として、ある場合には、時間と共に、コンテンツを形成することができる。例えば、装置（７１８）又は装置（７１８）におけるアプリケーションは、先ずコンテンツの第１部分を受信し、且つ装置のユーザインターフェースにおいて、コンテンツの第１部分を提示することを開始する。コンテンツの第２部分が受信される場合、装置（７１８）又は装置（７１８）におけるアプリケーションは、コンテンツの第２部分を、提示された第１部分に付加してもよく、その結果、コンテンツは、全体として装置のユーザインターフェースに提示される。
【０１６０】
一実施形態において、装置（７１８）（又は、その上のアプリケーション）が、データセンタ（７０５）に対する、２つの確立されたデータトンネルの搭載端点として役立つというよりも、搭載装置（７２０）又は搭載装置（７２０）のハイブリッド伝達情報収集器（７２２）が、データセンタ（７０５）に対する、２つの確立されたデータトンネルの搭載端点として役立つ（そこでは、２つの確立されたデータトンネルの１つは、装置（７１８）へ送達されるべきコンテンツの第１部分を送達し、且つ２つの確立されたデータトンネルの他の１つは、コンテンツの第２部分を送達する）。この実施形態では、装置（７１８）（又は、装置（７１８）上のアプリケーション）が、全体として、コンテンツを収集すると共に組み立てるというよりは、搭載装置（７２０）又はハイブリッド伝達情報収集器（７２２）が、全体としてコンテンツを収集すると共に組み立て、且つ組み立てられたコンテンツが、例えば、搭載通信ネットワークを介して、装置（７１８）へ送達されることを引き起こす。
【０１６１】
一実施形態において、搭載ノード（７２０）、ハイブリッド伝達情報収集器（７２２）、装置（７１８）、又は装置（７１８）上のアプリケーションは、フィードバック情報又はデータが、逆方向リンク（７１０）を介して、乗物（７０２ｘ）からデータセンタ（７０５）へ送信されることを引き起こしてもよい。フィードバック情報又はデータは、例えば、コンテンツの受信された第１部分に、及び／又はコンテンツの受信された第２部分に対応してもよい。一実施形態において、フィードバック情報又はデータは、例えば、図８〜図１１に関して以前に説明したように、１つ以上の順方向リンク及び／又は１つ以上の逆方向リンクの、現在の品質、容量、又は利用可能性を指し示してもよい。
【０１６２】
従って、上で議論したように、ハイブリッド通信システム（７００）の例のようなハイブリッド通信システムは、順方向リンク及び逆方向リンクを用いることによって、乗物に搭載された装置へのデータ及び情報の伝送を可能にするが、順方向リンク及び逆方向の各々は、異なる周波数帯域によってサポートされてもよく、且つ順方向リンク及び逆方向の各々は、異なる通信プロトコルを利用してもよい。順方向リンクは、逆方向に対応する逆方向リンクと比較すると、周波数帯域、ハードウェア構成、プロトコル、周波数帯などにおいて異なってもよい。一実施形態において、順方向リンクの帯域幅及び／又は速度は、逆方向リンクの帯域幅及び／又は速度よりも大きくてもよく（そして、ある場合には、著しく大きくてもよく）、その結果、周波数リソース及びモデムリソースの有効利用、及びデータ送達時間低減を可能にすることができる。一実施形態において、順方向伝送は、多重化されてもよい、及び／又はマルチキャストされてもよい。続いて起こる伝送のための順方向リンクの選択は、逆方向リンクを介して受信されたフィードバック情報に基づいてもよく、そして、ある場合には、送達されるべきコンテンツのタイプに基づいてもよい。一実施形態において、ハイブリッド通信システム（７００）の例のようなハイブリッド通信システムは、乗物に搭載された装置とデータセンタとの間で、全体としてコンテンツを送達するために、複数の異なる順方向リンクを利用してもよい。コンテンツの部分の選択、及び／又は複数の順方向リンクの選択は、コンテンツタイプ及び、任意で、他の基準に基づいてもよい。
【０１６３】
図１３は、乗物（１３０２）における搭載システム（１３００）の例を示し、ここで搭載システム（１３００）は、乗物（１３０２）上で情報又はデータを受信し（例えば、データセンタ、ハイブリッド伝達情報分配器（７０４）、又は他の適切な情報分配器によって提供される情報又はデータ）、且つ搭載システム（１３００）は、フィードバック情報が、乗物（１３０２）から、例えば、データセンタ（７０５）又はハイブリッド伝達情報分配器（７０４）へ送達されることを引き起こしてもよい。更に、搭載システム（１３００）は、データが、乗物（１３０２）によって輸送されている１つ以上の装置（１３０４）へ送達されること、及び／又は乗物（１３０２）によって輸送されている１つ以上の装置（１３０４）から受信されることを引き起こしてもよい。一実施形態において、乗物（１３０２）は乗物（７０２ｘ）であり、且つ１つ以上の装置（１３０４）は、装置（７１８）の１つである。
【０１６４】
搭載システム（１３００）の例は、補助コンピュータ・パワー・ユニット（ＡＣＰＵ）のような搭載ノード（１３０６）を含み、ここで搭載ノード（１３０６）は、１つ以上のアンテナ（１３０８）及び、１つ以上のモデム又はトランシーバ（１３１０）を介して、１つ以上の外部通信リンクと通信可能に接続されたコンピューティング装置であってもよい。一実施形態において、搭載ノード（１３０６）は、搭載ノード（７２０）であってもよく、且つハイブリッド伝達情報収集器（７２２）の事例を含んでもよく、これは、ブロック（１３０７）によって、図１３に表されている。
【０１６５】
１つ以上のアンテナ（１３０８）の各々は、無線通信（例えば、Ｋa帯域、Ｌ帯域、Ｋu帯域、ＷｉＭＡＸ帯域、Ｗｉ−Ｆｉ帯域、地上移動体帯域、又は他の任意の適切な無線周波数帯域）に対して割り当てられた、異なるそれぞれの周波数帯域を介して、信号を受信すると共に送信してもよい。アンテナ（１３０８）の各々は、乗物（１３０２）に固定的に接続される、関連付けられたモデム又はトランシーバ（１３１０）と通信可能に接続されてもよく、且つ、履行においては、それぞれのアンテナ（１３０８）において、信号に対応する情報及びデータを符号化すると共に復号化するように構成される。１つ以上のモデム又はトランシーバ（１３１０）は、ＴＤＭＡ（時分割多重アクセス）、ＧＳＭ（汎ヨーロッパデジタル移動通信システム）、ＣＤＭＡ（符号分割多重アクセス）、ＬＴＥ（長期進化）通信、ＷｉＭＡＸ、及び／又は他の任意の地上波携帯通信技術と互換性のある、それぞれのモデム又はトランシーバを含んでもよい。幾つかの実施形態において、１つ以上のモデム（１３１０）は、ＥＶＤＯ（進化データ最適化）又はＷｉ−Ｆｉ通信技術と互換性のある、それぞれのモデム又はトランシーバを含んでもよい。しかしながら、明瞭なことであるが、搭載システム（１３００）は、任意の望ましい数の異なる無線通信技術をサポートするための、任意の数のアンテナ（１３０８）及び、任意の異なる数の関連付けられたモデム又はトランシーバ（１３１０）を含んでもよい。
【０１６６】
加えて、乗物（１３０２）が航空機である場合、コックピット電子機器ノード（１３１２）は、１つ以上のモデム（１３１０）と通信可能に結合されてもよい。コックピット電子機器ノード（１３１０）は、例えば飛行中に、航空機のコックピットにおける様々な精密器機から電子情報を収集するように構成されたＬＲＵであってもよい。幾つかの場合において、コックピット電子機器ノード（１３１０）は、高度、飛行速度、航空機位置、又は他の飛行状態情報のような収集された飛行情報を、ハイブリッド伝達情報取得器（１３０７）、搭載ノード（１３０６）に提供してもよく、又は、例えば指定された戻りのリンクを介して、乗物データ分配ネットワーク（７０６）に直接提供してもよい。
【０１６７】
装置（１３０４）の少なくとも幾つかは、スマートフォン、タブレットコンピュータ、ラップトップコンピュータ、携帯情報端末、ｅリーダなどのような携帯型コンピューティング装置であってもよく、これらは、１つ以上の無線アクセスポイント（１３１４）を介して（例えば、無線ネットワークインターフェースを介して）、ハイブリッド伝達情報取得器（１３０７）との無線通信可能な接続を確立することが可能である。装置（１３０４）の幾つかは、有線のコンピューティング装置であってもよく、この有線のコンピューティング装置は、有線のネットワーク（１３１６）を介して、搭載ノード（１３０６）と通信可能に接続される。
【０１６８】
幾つかの履行例において、１つ以上の装置（１３０４）は搭載データ格納実体（１３１８）であり、この搭載データ格納実体（１３１８）は、他の様々な装置（１３０４）に分配されるかもしれない、及び／又は他の様々な装置（１３０４）から受信されるかもしれない様々なタイプのデータを格納してもよく、ここで様々なタイプのデータとは、例えば、エンタテインメント・コンテンツ、ウェブページ、アカウント情報、使用状況データ、インストールされるかもしれないアプリケーション、装置（１３０４）を識別する情報、支払い情報（例えば、暗号化された金融アカウント情報）、デジタル著作権管理（ＤＲＭ）鍵、及び／又は、少なくとも一時的に、乗物（１３０２）に搭載して、格納することが望まれる他の任意のデータである。
【０１６９】
一実施形態において、装置（１３０４）の各々は、乗物走行アプリケーション（ＶＴＡ）のインスタンスを含んでもよく、この乗物走行アプリケーションは、装置（１３０４）上にインストールされ、且つ、装置（１３０４）が乗物（１３０２）によって輸送されている間に（例えば、乗物（１３０２）がポート間の途中を移動している時に）、サービスをサポートするように特に構成されてもよい。例えば、乗物走行アプリケーションは、データセンタ（７０５）又は、データセンタにおけるハイブリッド伝達情報分配器（７０４）と共に確立されるデータトンネルの搭載端部として役立つように構成されてもよい。一実施形態において、乗物走行アプリケーションは、特定の装置（１３０４）の上にインストールされた他のアプリケーション（例えば、本来の地上アプリケーション）と通信してもよく、その結果、装置（１３０４）が乗物（１３０２）によって輸送されている間に、他のアプリケーションは、望み通りに（例えば、本来の方法で）動作してもよい。
【０１７０】
図１４は、ハイブリッド通信システム（７００）で利用されるかもしれないコンピューティング装置（１３５０）の例のブロック図を示す。例えば、１つ以上のコンピューティング装置（１４５０）は、データセンタ（７０５）、乗物データ送達ネットワーク（７０６）、搭載ノード（７２０）、又は装置（７１８）の少なくとも一部分として利用されるように、特に構成されてもよい。加えて、コックピット電子機器ノード（１３１２）のような、本明細書に記載の他の装置は、コンピューティング装置（１４５０）の一実施例を含んでもよい。
【０１７１】
コンピューティング装置（１４５０）は、例えば、１つ以上の中央処理ユニット（ＣＰＵ）又はプロセッサ（１４５２）、及び、１つ以上のバス又はハブ（１４５３）を含んでもよく、ここで１つ以上のバス又はハブ（１４５３）は、プロセッサ（１４５２）を、揮発性メモリ（１４５４）、不揮発性メモリ（１４５５）、表示コントローラ（１４５６）、及びＩ／Ｏコントローラ（１４５７）のような、コンピューティング装置（１４５０）の他の要素に接続する。揮発性メモリ（１４５４）及び不揮発性メモリ（１４５５）は、各々が、ランダムアクセスメモリ（ＲＡＭ）、読み出し専用メモリ（ＲＯＭ）、フラッシュメモリ、生物学的メモリ、ハードディスクドライブ、デジタル多用途ディスク（ＤＶＤ）ディスクドライブなどのような、１つ以上の非一時的な、有形のコンピュータ可読な格納媒体を含んでもよい。
【０１７２】
一実施形態において、メモリ（１４５４）及び／又はメモリ（１４５５）は、プロセッサ（１４５２）によって実行可能である命令（１４５８）を格納してもよい。例えば、データセンタ（７０５）に含まれるように特に構成されたコンピューティング装置では、命令（１４５８）は、ハイブリッド伝達情報分配器（７０４）を備える命令であってもよい。別の例において、搭載されたノード（７２０）であるように特に構成されたコンピューティング装置（１４５０）では、命令（１４５８）は、ハイブリッド伝達情報収集器（７２２）を備える命令であってもよい。更に別の例において、装置（７１８）であるように特に構成されたコンピューティング装置（１４５０）では、命令（１４５８）は、乗物走行アプリケーション（ＶＴＡ）であってもよい。実際に、本明細書で説明されるモジュール、アプリケーション及びエンジンの各々は、上で説明された１つ以上の機能を実施するための、異なる１セットのマシン可読な命令に対応することが可能である。これらのモジュールは、別々のソフトウェアプログラム、手続き又はモジュールとして履行される必要はなく、且つ、従って、これらのモジュールの様々なサブセットが結合される、又は、そうでなければ、様々な実施形態において再配列されることが可能である。幾つかの実施形態において、メモリ（１４５４）、メモリ（１４５５）の少なくとも１つは、本明細書の中で識別される１サブセットのモジュール及び、データ構造を格納する。他の実施形態において、少なくとも１つのメモリ（１４５４）、メモリ（１４５５）は、本明細書の中で説明されない付加的なモジュール及び、データ構造を格納する。
【０１７３】
一実施形態において、表示コントローラ（１４５６）は、プロセッサ（１４５２）と通信してもよく、それによって、情報が、接続された表示装置（１４５９）上に提示されることを引き起こすことができる。一実施形態において、Ｉ／Ｏコントローラ（１４５７）は、プロセッサ（１４５２）と通信してもよく、それによって、情報及びコマンドを、ユーザインターフェース（１４６０）へ転送する、又はユーザインターフェース（１４６０）から転送するが、ここでユーザインターフェース（１４６０）は、マウス、キーボード又はキーパッド、タッチパッド、クリックホイール、光線、スピーカ、マイクロフォンなどを含んでもよい。一実施形態において、表示装置（１４５９）の、及びユーザインターフェース（１４６０）の少なくとも一部分は、単一の、統合された装置（例えば、タッチスクリーン）に結合される。加えて、データ又は情報は、ネットワークインターフェース（１４７０）を介して、コンピューティング装置（１４５０）へ、且つコンピューティング装置（１４５０）から転送されてもよい。幾つかの実施形態において、コンピューティング装置（１４５０）は、無線インターフェース及び有線インターフェースのような、複数のネットワークインターフェース（１４７０）を含んでもよい。
【０１７４】
例示されたコンピューティング装置（１４５０）は、ハイブリッド通信システム（７００）で使用するために特に適切に構成されたコンピューティング装置の単なる一例である。コンピューティング装置（１４５０）の他の実施形態はまた、ハイブリッド通信システム（７００）で使用するためのものであってもよく、このことは、たとえ他の実施形態が、図１０に示すよりも多い部品又は少ない部品を有するとしても、１つ以上の結合された部品を有するとしても、又は異なる構成の部品を有するとしても、若しくは異なる配列の部品を有するとしても、当てはまる。その上、図１４で示した様々な部品は、ハードウェアにおいて、ソフトウェア命令を実行するプロセッサにおいて、又はハードウェアとソフトウェア命令を実行するプロセッサの両方の組み合わせにおいて、履行することが可能であり、これらは、１つ以上の信号処理及び／又は特定用途向け集積回路（ＡＳＩＣ）を含む。
【０１７５】
図１５は例示的な方法（１５００）を示しており、該方法は、地上ネットワークに接続される第一電子装置と搭載通信ネットワークに接続される第二電子装置との通信を、様々な通信ネットワークを介して促進するためのものである。実施形態によれば、通信は、テキストベース若しくはメッセージベースの通信（例えば、ＳＭＳメッセージ）、又は音声ベース通信であってもよい。方法１５００は、図１〜図１４に関連して以前に議論したシステム、乗物及び／又は電子装置の任意の又は全ての部分と併せて動作してもよい。又は、方法（１５００）は、他の適切なシステム、乗物、及び／又は電子装置と併せて動作してもよい。一実施形態において、方法（１５００）の少なくとも一部分は、ＳＢＣ／ＳＩＰサーバー及び／又は登録サーバーを含むデータセンターによって実行されてもよい（例えば、図１に関連して説明したデータセンター（１２９）又は図７に関連して議論したデータセンター（７０５））。
【０１７６】
ブロック（１５０５）において、データセンターは、第一電子装置から、第二電子装置を識別する第一の音声ベース又はメッセージベースのコンテンツを受信することができる。特に、第一の音声ベース又はメッセージベースのコンテンツは、ＳＭＳＣから受信したＳＭＳメッセージ又はインターネットベースの音声通信であってもよい。幾つかの実施形態において、データセンターは、更に、第一の音声ベース又はメッセージベースのコンテンツから、前記第二電子装置に関連する加入識別情報を特定することができ、ここで、加入識別情報は、第二電子装置のＭＳＩＳＤＮであってもよい。
【０１７７】
ブロック（１５１０）において、データセンターは、順方向通信を生成することができ、該通信は、（ｉ）第一の音声ベース又はメッセージベースのコンテンツを含み、及び（ｉｉ）第二電子装置に向けられたものである。順方向通信を生成する際、データセンターは、以下を含むことができる：第二電子装置のＭＳＩＳＤＮ。ブロック（１５１５）において、データセンターは、順方向通信を第二電子装置に衛星通信リンクを介して送信することができる。幾つかの実施形態において、衛星通信リンクは以下のうちの１つであってもよい：Ｋu帯域通信リンク又はＫa通信リンク、又は、図７に関連して議論した別の衛星通信リンク。
【０１７８】
ブロック（１５２０）において、データセンターは、ハイブリッド通信ネットワークがリターン通信に必要かどうかを決定することができる。幾つかの実施形態において、ハイブリッド通信ネットワークを、ＡＴＧネットワークが利用可能な時（例えば、乗物が地上を移動している場合（例えば、米国内のフライト））に利用することができる。他の実施形態では、衛星限定のネットワークを、ＡＴＧネットワークが利用できないとき（例えば、乗物が水上を移動している場合（例えば、大西洋を横断する国際フライト））に利用することができる。ハイブリッド通信ネットワークの必要性は、乗物が移動を始める前に決定することができ、適切なネットワーク構成を可能にする。
【０１７９】
もしも、データセンターが、ハイブリッド通信ネットワークがリターン通信に必要であることを決定した場合（“ＹＥＳ”）、データセンターは、リターン通信を、第二電子装置から、地上通信リンクを介して、受信（ブロック１５２５）することができる。一方、データセンターが、ハイブリッド通信ネットワークがリターン通信に必要でないことを決定した場合（“ＮＯ”）、データセンターは、リターン通信を、第二電子装置から、衛星通信リンクを介して受信（ブロック１５３０）することができる。幾つかの実施形態において、リターン通信がメッセージベースの通信である場合、リターン通信は特定のプロトコルのメッセージの形態であってもよい。他の実施形態では、リターン通信が音声ベース通信である場合、リターン通信はインターネットベースの音声通信要求の形態であってもよい。
【０１８０】
ブロック（１５３５）において、データセンターは、リターン通信に含まれる第二の音声ベース又はメッセージベースのコンテンツを第一電子装置に、サービスプロバイダネットワークを介して送信することができる。リターン通信がメッセージベースの通信である場合、データセンターは、メッセージをＳＭＳメッセージに、第一電子装置に送信する前に変換することができる。リターン通信が音声ベース通信である場合、データセンターは、第一電子装置に送達するために、インターネットベースの音声通信要求を、ＩＴＳＰに送信することができる。
【０１８１】
もちろん、本明細書で説明されたシステム、方法及び技術の応用及び恩恵は、上の例だけに限定されない。本明細書で説明されたシステム、方法及び技術を使用することによって、他の多くの応用又は恩恵が可能である。
【０１８２】
更に、履行される場合、本明細書で説明された方法及び技術のいずれか、又はそれらのある部分は、１つ以上の非一時的な、有形のコンピュータ可読な格納媒体又はメモリに格納されたソフトウェアを実行することによって実施されてもよく、ここで１つ以上の非一時的な、有形のコンピュータ可読な格納媒体又はメモリとは、磁気ディスク、レーザディスク、光ディスク、半導体メモリ、生物学的メモリ、他のメモリ装置、又は、コンピュータ又はプロセッサなどのＲＡＭ又はＲＯＭにおける他の格納媒体のようなものである。
【０１８３】
その上、前述の文は、数多くの異なる実施形態の詳細な説明を明記しているが、本特許の範囲は、この特許の最後に明記された請求項の文言によって定義されることを、理解されたい。詳細な説明は、例示的なものとしてのみ解釈されるべきであり、且つあらゆる可能な実施形態を説明するものではない。何故なら、あらゆる可能な実施形態を説明することは、不可能ではないにしても、実際的でないからである。数多くの代替的実施形態は、現在の技術又は、この特許の出願日の後に開発された技術のいずれかを使用することによって、履行することが可能であろうが、これらは、本請求項の範囲内に、依然として入るであろう。
【０１８４】
従って、多くの変更例及び変形例が、本明細書で説明されると共に例示された技術、方法及び構造において、本請求項の趣旨及び範囲から逸脱することなく、実施されてもよい。よって、本明細書で説明された方法及び装置は、単に例証的であり、請求項の範囲について限定的でないことは、理解されるべきである。
本発明は一側面において以下の発明を包含する。
（発明１）
地上ネットワークに接続される第一電子装置及び搭載携帯通信ネットワークに接続される第二電子装置に及びこれらから伝達情報を提供する方法であって、以下のステップを含む、該方法：
前記第一電子装置から、サービスプロバイダネットワークを介して、第二電子装置を識別する第一の音声ベース又はメッセージベースのコンテンツを受信するステップ；
プロセッサによって、順方向通信を生成するステップであって、前記順方向通信は、（ｉ）前記第一の音声ベース又はメッセージベースのコンテンツを含み、及び前記順方向通信は、（ｉｉ）前記第二電子装置に向けられたものである、該ステップ；
前記順方向通信を、前記第二電子装置に、衛星通信リンクを介して送信するステップ；
リターン通信を、第二電子装置から、地上通信リンクを介して受信するステップであって、前記リターン通信は（ｉ）第二の音声ベース又はメッセージベースのコンテンツを含み、及び（ｉｉ）前記第一電子装置に向けられたものである、該ステップ；並びに
前記第二の音声ベース又はメッセージベースのコンテンツを、前記第一電子装置へ、前記サービスプロバイダネットワークを介して送信するステップ。
（発明２）
発明１の方法であって、更に以下のステップを含む、該方法：
前記第一の音声ベース又はメッセージベースのコンテンツに基づいて、前記第二電子装置に関連する加入識別情報を識別するステップ。
（発明３）
発明２の方法であって、前記加入識別情報が携帯加入者サービス総合ディジタルネットワーク（ＭＳＩＳＤＮ）の番号であり、及び、前記順方向通信を生成することが以下のことを含む、該方法：
前記第一の音声ベース又はメッセージベースのコンテンツ及び前記ＭＳＩＳＤＮを含む順方向通信を生成すること。
（発明４）
発明１〜発明３のうちいずれか１つの方法であって、前記リターン通信を前記第二電子装置から受信するステップが以下のことを含む、該方法：
前記リターン通信を前記電子装置から空対地（ＡＴＧ）通信リンクを介して受信すること。
（発明５）
発明１〜発明４のうちいずれか１つの方法であって、前記順方向通信を前記第二電子装置に送信するステップが以下のことを含む、該方法：
前記順方向通信を、Ｋu帯域通信リンク又はＫa帯域通信リンクのうちの１つを介して送信すること。
（発明６）
発明１〜発明５のうちいずれか１つの方法であって、前記第一の音声ベース又はメッセージベースのコンテンツを受信するステップが以下のことを含む、該方法：
ショートメッセージサービス（ＳＭＳ）メッセージを、ショートメッセージサービスセンター（ＳＭＳＣ）から受信すること；及び
前記ＳＭＳメッセージを、異なるプロトコルのメッセージへ変換すること。
（発明７）
発明１〜発明６のうちいずれか１つの方法であって、
前記リターン通信を受信するステップが、インターネットベースの音声通信要求を受信することを含み；及び
前記第二の音声ベース又はメッセージベースのコンテンツを送信するステップが、前記第一電子装置に送達するために、前記インターネットベースの音声通信要求を、インターネット電話サービスプロバイダ（ＩＴＳＰ）に送信することを含む、
該方法。
（発明８）
発明１〜発明７のうちいずれか１つの方法であって、前記リターン通信を受信するステップが以下のことを含む：
特定のプロトコルのメッセージを受信すること；及び
前記特定のプロトコルのメッセージをショートメッセージサービス（ＳＭＳ）メッセージに変換すること。
（発明９）
地上ネットワークに接続される第一電子装置及び搭載携帯通信ネットワークに接続される第二電子装置に、及びこれらから通信を提供するためのシステムであって、以下を含むシステム：
通信モジュールであって、データを送受信するように構成される、該通信モジュール；及び
データセンターであって、該データセンターはメモリ及びプロセッサを含み、及び前記通信モジュールに通信可能に接続され、以下の動作を行うように構成される、データセンター：
前記第一電子装置から、サービスプロバイダネットワークを介して、前記第二電子装置を識別する第一の音声ベース又はメッセージベースのコンテンツを受信すること、
順方向通信を生成することであって、前記順方向通信は（ｉ）前記第一の音声ベース又はメッセージベースのコンテンツを含み、及び前記順方向通信は（ｉｉ）前記第二電子装置に向けられたものである、該生成すること、
前記通信モジュールを介して、前記順方向通信を、前記第二電子装置へ、衛星通信リンクを介して送信すること、
リターン通信を前記第二電子装置から地上通信リンクを介して受信することであって、前記リターン通信は（ｉ）第二の音声ベース又はメッセージベースのコンテンツを含み、前記リターン通信は（ｉｉ）前記第一電子装置に向けられたものである、該受信すること、並びに
前記通信モジュールを介して、前記第二の音声ベース又はメッセージベースのコンテンツを、前記第一電子装置へ、前記サービスプロバイダネットワークを介して送信すること。
（発明１０）
発明９のシステムであって、前記データセンターは更に以下の動作を行うように構成される、該システム：
前記第一の音声ベース又はメッセージベースのコンテンツに基づいて、前記第二電子装置に関連する加入識別情報を識別すること。
（発明１１）
発明１０のシステムであって、前記加入識別情報が携帯加入者サービス総合ディジタルネットワーク（ＭＳＩＳＤＮ）の番号であり、及び、前記順方向通信を生成するため、データセンターが以下の動作を行うように構成される、該システム：
前記第一の音声ベース又はメッセージベースのコンテンツ及び前記ＭＳＩＳＤＮを含む順方向通信を生成すること。
（発明１２）
発明９〜発明１１のうちいずれか１つのシステムであって、前記リターン通信を前記第二電子装置から受信するために、前記データセンターが以下の動作を行うように構成される、該システム：
前記リターン通信を前記電子装置から空対地（ＡＴＧ）通信リンクを介して受信すること。
（発明１３）
発明９〜発明１１のうちいずれか１つのシステムであって、前記順方向通信を前記第二電子装置に送信するために、データセンターが以下の動作を行うように構成される、該システム：
前記順方向通信を、Ｋu帯域通信リンク又はＫa帯域通信リンクのうち１つを介して送信すること。
（発明１４）
発明９〜発明１１のうちいずれか１つのシステムであって、前記第一の音声ベース又はメッセージベースのコンテンツを受信するために、データセンターが以下の動作を行うように構成される、該システム：
ショートメッセージサービス（ＳＭＳ）メッセージを、ショートメッセージサービスセンター（ＳＭＳＣ）から受信すること、及び、
前記ＳＭＳメッセージを異なるプロトコルのメッセージに変換すること。
（発明１５）
発明９〜発明１４のうちいずれか１つのシステムであって、
前記リターン通信を受信するため、データセンターはインターネットベースの音声通信要求を受信するように構成され、
前記第二の音声ベース又はメッセージベースのコンテンツを送信するため、データセンターは、前記第一電子装置へ送達する目的で、前記インターネットベースの音声通信要求をインターネット電話サービスプロバイダ（ＩＴＳＰ）へ送信するように構成される、データセンター。
【図１】
0006377742.tif 000002
【図２】
0006377742.tif 000003
【図３】
0006377742.tif 000004
【図４】
0006377742.tif 000005
【図５】
0006377742.tif 000006
【図６】
0006377742.tif 000007
【図７】
0006377742.tif 000008
【図８】
0006377742.tif 000009
【図９】
0006377742.tif 000010
【図１０】
0006377742.tif 000011
【図１１】
0006377742.tif 000012
【図１２】
0006377742.tif 000013
【図１３】
0006377742.tif 000014
【図１４】
0006377742.tif 000015
【図１５】
0006377742.tif 000016